(57)【特許請求の範囲】
【請求項１】
複数のワイヤレススピーカと、前記複数のワイヤレススピーカを遠隔操作するコントローラと、を備えたワイヤレスオーディオシステムであって、
前記複数のワイヤレススピーカ各々は、
前記コントローラから受け付けたテスト指示に従い、所定のオーディオ信号であるテスト信号を出力して前記テスト信号の出力時刻を前記コントローラに通知するか、あるいは、当該テスト指示で指定されている時刻に前記テスト信号を出力するテスト信号出力手段と、
前記コントローラから受け付けた出力調整指示に従い、再生対象のオーディオ信号の出力タイミングを調整する出力調整手段と、を有し、
前記コントローラは、
前記テスト信号を集音するマイクと、
前記複数のワイヤレススピーカ各々に対して、前記テスト指示を送信して当該ワイヤレススピーカに前記テスト信号を出力させ、前記テスト信号を前記マイクで集音し、当該ワイヤレススピーカから受け取った前記テスト信号の出力時刻、あるいは前記テスト指示で指定した前記テスト信号の出力時刻と、前記マイクへの前記テスト信号の入力時刻との差分である遅延時間を測定する測定手段と、
前記測定手段により測定された前記複数のワイヤレススピーカ各々の遅延時間に基づいて前記複数のワイヤレススピーカ各々の出力タイミングを決定する決定手段と、
前記複数のワイヤレススピーカ各々に対して、前記決定手段により決定された当該ワイヤレススピーカの出力タイミングの指定を含む前記出力調整指示を送信する出力調整指示送信手段と、を有する
ことを特徴とするワイヤレスオーディオシステム。
【請求項２】
請求項１に記載のワイヤレスオーディオシステムであって、
前記ワイヤレススピーカにおいて、
前記テスト信号出力手段は、
前記テスト信号の出力レベルを前記コントローラに通知するか、あるいは、前記コントローラから受け付けた前記テスト指示で指定されている出力レベルで前記テスト信号を出力し、
前記出力調整手段は、
前記コントローラから受け付けた前記出力調整指示に従い、再生対象のオーディオ信号の出力レベルも調整し、
前記コントローラにおいて、
前記測定手段は、
前記複数のワイヤレススピーカ各々に対して、当該ワイヤレススピーカから受け取った前記テスト信号の出力レベル、あるいは前記テスト指示で指定した前記テスト信号の出力レベルと、前記マイクへの前記テスト信号の入力レベルとの比率である入出力比も測定し、
前記決定手段は、
前記測定手段により測定された前記複数のワイヤレススピーカ各々の入出力比に基づいて前記複数のワイヤレススピーカ各々の出力レベルも決定し、
前記出力調整指示送信手段は、
前記複数のワイヤレススピーカ各々に対して、前記決定手段により決定された当該ワイヤレススピーカの出力レベルの指定を前記出力調整指示に含めて送信する
ことを特徴とするワイヤレスオーディオシステム。
【請求項３】
請求項２に記載のワイヤレスオーディオシステムであって、
前記コントローラは、
前記測定手段により測定された前記複数のワイヤレススピーカ各々の入出力比に基づいて、制御対象から除外すべき前記ワイヤレススピーカを判断する制御対象判断手段をさらに有し、
前記コントローラにおいて、
前記出力調整指示送信手段は、
前記制御対象判断手段により制御対象から除外すべきと判断された前記ワイヤレススピーカに前記出力調整指示を送信しない
ことを特徴とするワイヤレスオーディオシステム。
【請求項４】
請求項１ないし３のいずれか一項に記載のワイヤレスオーディオシステムであって、
前記複数のワイヤレススピーカ各々は、
自ワイヤレススピーカの識別情報を含むビーコン信号を送信するビーコン信号送信手段と、
前記コントローラから受け付けた電波検出指示に従い、当該電波検出指示で指定されている識別情報を含む前記ビーコン信号を受信して、当該ビーコン信号の受信電波強度を検出し、検出した受信電波強度を前記コントローラに通知する受信電波情報通知手段と、をさらに有し、
前記コントローラは、
前記ワイヤレススピーカから送信されたビーコン信号を受信して当該ビーコン信号の受信電波強度を検出する受信電波強度検出手段と、
前記複数のワイヤレススピーカのうち、前記受信電波強度検出手段により受信電波強度が検出された第一のワイヤレススピーカに対して、前記受信電波強度検出手段により受信電波強度が検出された第二のワイヤレススピーカの識別情報の指定を含む電波検出指示を送信して、前記第一のワイヤレススピーカで検出された前記第二のワイヤレススピーカの受信電波強度を前記第一のワイヤレススピーカから取得し、前記受信電波強度検出手段により検出された前記第一および第二のワイヤレススピーカ各々の受信電波強度と、前記第一のワイヤレススピーカで検出された前記第二のワイヤレススピーカの受信電波強度とに基づいて、前記コントローラ、前記第一のワイヤレススピーカ、および前記第二のワイヤレススピーカの相対位置により特定される基準座標系を特定する基準座標特定手段と、
前記第一および第二のワイヤレススピーカ各々に対して、前記受信電波強度検出手段により受信電波強度が検出された測定対象のワイヤレススピーカの識別情報の指定を含む電波検出指示を送信して、前記第一および第二のワイヤレススピーカから、前記第一および第二のワイヤレススピーカで検出された前記測定対象のワイヤレススピーカの受信電波強度を取得し、前記受信電波強度検出手段により検出された前記測定対象のワイヤレススピーカの受信電波強度と、前記第一および第二のワイヤレススピーカで検出された前記測定対象のワイヤレススピーカの受信電波強度と、前記基準座標特定手段により特定された基準座標系とに基づいて、前記測定対象のワイヤレススピーカの位置を特定する処理を、前記第一および第二のワイヤレススピーカを除く前記複数のワイヤレススピーカについて実施する位置特定手段と、
前記基準座標特定手段により特定された基準座標系、および前記位置特定手段により特定された前記第一および第二のワイヤレススピーカを除く前記複数のワイヤレススピーカの位置に基づいて、前記複数のワイヤレススピーカの前記コントローラに対する設置状態を判定する設置状態判定手段と、
前記設置状態判定手段で判定された設置状態に基づいて、前記複数のワイヤレススピーカから出力するオーディオ信号のオーディオ信号出力モードを決定する出力モード決定手段と、をさらに有する
ことを特徴とするワイヤレスオーディオシステム。
【請求項５】
請求項１ないし３のいずれか一項に記載のワイヤレスオーディオシステムであって、
前記複数のワイヤレススピーカ各々は、
自ワイヤレススピーカの識別情報を含むビーコン信号を送信するビーコン信号送信手段と、
前記コントローラから受け付けた電波検出指示に従い、当該電波検出指示で指定されている識別情報を含む前記ビーコン信号を受信して、当該ビーコン信号の受信電波強度および受信方向を検出し、検出した受信電波強度および受信方向を前記コントローラに通知する受信電波情報通知手段と、をさらに有し、
前記コントローラは、
自コントローラの識別情報を含むビーコン信号を送信するビーコン信号送信手段と、
前記ワイヤレススピーカから送信されたビーコン信号を受信して当該ビーコン信号の受信電波強度を検出する受信電波強度検出手段と、
前記複数のワイヤレススピーカのうち、前記受信電波強度検出手段により受信電波強度が検出された第一のワイヤレススピーカに対して、前記コントローラの識別情報の指定を含む電波検出指示を送信して、前記第一のワイヤレススピーカで検出された前記コントローラの受信電波強度および受信方向を前記第一のワイヤレススピーカから取得し、前記受信電波強度検出手段により検出された前記第一のワイヤレススピーカの受信電波強度あるいは前記第一のワイヤレススピーカで検出された前記コントローラの受信電波強度と、前記第一のワイヤレススピーカで検出された前記コントローラの受信方向とに基づいて、前記コントローラおよび前記第一のワイヤレススピーカの相対位置により特定される基準座標系を特定する基準座標特定手段と、
前記第一のワイヤレススピーカに対して、前記受信電波強度検出手段により受信電波強度が検出された測定対象のワイヤレススピーカの識別情報の指定を含む電波検出指示を送信して、前記第一のワイヤレススピーカで検出された前記測定対象のワイヤレススピーカの受信電波強度および受信方向を前記第一のワイヤレススピーカから取得し、前記受信電波強度検出手段により検出された前記測定対象のワイヤレススピーカの受信電波強度と、前記第一のワイヤレススピーカで検出された前記測定対象のワイヤレススピーカの受信電波強度および受信方向と、前記基準座標特定手段により特定された基準座標系とに基づいて、前記測定対象のワイヤレススピーカの位置を特定する処理を、前記第一のワイヤレススピーカを除く前記複数のワイヤレススピーカについて実施する位置特定手段と、
前記基準座標特定手段により特定された基準座標系、および前記位置特定手段により特定された前記第一のワイヤレススピーカを除く前記複数のワイヤレススピーカの位置に基づいて、前記複数のワイヤレススピーカの前記コントローラに対する設置状態を判定する設置状態判定手段と、
前記設置状態判定手段で判定された設置状態に基づいて、前記複数のワイヤレススピーカから出力するオーディオ信号のオーディオ信号出力モードを決定する出力モード決定手段と、をさらに有する
ことを特徴とするワイヤレスオーディオシステム。
【請求項６】
請求項４または５に記載のワイヤレスオーディオシステムであって、
前記コントローラは、
前記設置状態判定手段で判定された設置状態を表示する設置状態表示手段と、
前記設置状態表示手段に表示された設置状態において前記コントローラを携帯するリスナーの正面方向の指定を受け付けるリスナー情報受付手段と、をさらに有し、
前記コントローラにおいて、
前記出力モード決定手段は、
前記リスナー情報受付手段で受け付けたリスナーの正面方向が設定された前記複数のワイヤレススピーカの前記コントローラに対する設置状態に基づいてオーディオ信号のオーディオ信号出力モードを決定する
ことを特徴とするワイヤレスオーディオシステム。
【請求項７】
オーディオ信号を再生し出力する複数のワイヤレススピーカを遠隔操作するコントローラであって、
所定のオーディオ信号であるテスト信号を集音するマイクと、
前記複数のワイヤレススピーカ各々に対して、テスト指示を送信して当該ワイヤレススピーカに前記テスト信号を出力させ、前記テスト信号を前記マイクで集音し、当該ワイヤレススピーカから受け取った前記テスト信号の出力時刻、あるいは前記テスト指示で指定した前記テスト信号の出力時刻と、前記マイクへの前記テスト信号の入力時刻との差分である遅延時間を測定する測定手段と、
前記測定手段により測定された前記複数のワイヤレススピーカ各々の遅延時間に基づいて前記複数のワイヤレススピーカ各々の出力タイミングを決定する決定手段と、
前記複数のワイヤレススピーカ各々に対して、前記決定手段により決定された当該ワイヤレススピーカの出力タイミングの指定を含む出力調整指示を送信する出力調整指示送信手段と、を有する
ことを特徴とするコントローラ。
【請求項８】
コントローラの遠隔操作に従いオーディオ信号を再生し出力するワイヤレススピーカであって、
前記コントローラから受け付けたテスト指示に従い、所定のオーディオ信号であるテスト信号を出力して前記テスト信号の出力時刻を前記コントローラに通知するか、あるいは、当該テスト指示で指定されている時刻に前記テスト信号を出力するテスト信号出力手段と、
前記コントローラから受け付けた出力調整指示に従い、再生対象のオーディオ信号の出力タイミングを調整する出力調整手段と、を有する
ことを特徴とするワイヤレススピーカ。
【請求項９】
コンピュータで読み取り可能なプログラムであって、
前記プログラムは、前記コンピュータを、
オーディオ信号を再生し出力する複数のワイヤレススピーカを遠隔操作するコントローラとして機能させ、
前記コントローラは、
所定のオーディオ信号であるテスト信号を集音するマイクと、
前記複数のワイヤレススピーカ各々に対して、テスト指示を送信して当該ワイヤレススピーカに前記テスト信号を出力させ、前記テスト信号を前記マイクで集音し、当該ワイヤレススピーカから受け取った前記テスト信号の出力時刻、あるいは前記テスト指示で指定した前記テスト信号の出力時刻と、前記マイクへの前記テスト信号の入力時刻との差分である遅延時間を測定する測定手段と、
前記測定手段により測定された前記複数のワイヤレススピーカ各々の遅延時間に基づいて前記複数のワイヤレススピーカ各々の出力タイミングを決定する決定手段と、
前記複数のワイヤレススピーカ各々に対して、前記決定手段により決定された当該ワイヤレススピーカの出力タイミングの指定を含む出力調整指示を送信する出力調整指示送信手段と、を有する
ことを特徴とするコンピュータで読み取り可能なプログラム。
【請求項１０】
コンピュータで読み取り可能なプログラムであって、
前記プログラムは、前記コンピュータを、
コントローラの遠隔操作に従いオーディオ信号を再生し出力するワイヤレススピーカとして機能させ、
前記ワイヤレススピーカは、
前記コントローラから受け付けたテスト指示に従い、所定のオーディオ信号であるテスト信号を出力して前記テスト信号の出力時刻を前記コントローラに通知するか、あるいは、当該テスト指示で指定されている時刻に前記テスト信号を出力するテスト信号出力手段と、
前記コントローラから受け付けた出力調整指示に従い、再生対象のオーディオ信号の出力タイミングを調整する出力調整手段と、を有する
ことを特徴とするコンピュータで読み取り可能なプログラム。
【発明の詳細な説明】
【技術分野】
【０００１】
本発明は、ワイヤレススピーカの制御技術に関する。
【背景技術】
【０００２】
特許文献１には、複数のグループに分類された複数のワイヤレススピーカを備え、グループ毎に異なる楽曲データを再生可能なワイヤレスオーディオシステムが開示されている。このワイヤレスオーディオシステムでは、グループ毎に、そのグループに属する複数のワイヤレススピーカがアービトレーションを実施して、これらのワイヤレススピーカのなかから一台のワイヤレススピーカを選出する。そして、選出されたワイヤレススピーカがグループリーダとなり、同じグループに属する複数のワイヤレススピーカに対する操作をユーザから受け付けて、これらのワイヤレススピーカにコントロール信号を送信する。このワイヤレスオーディオシステムによれば、例えば、複数の部屋のそれぞれに複数のワイヤレススピーカを設置し、同じ部屋に設置されたワイヤレススピーカを同じグループに設定することにより、部屋毎に異なる楽曲データを再生することができる。
【０００３】
また、特許文献２には、正確な位置情報を取得でき、かつコストを抑制した通信システムの構築を可能とする無線通信システムが開示されている。この無線通信システムでは、無線装置から出力された無線信号の受信電波強度に基づいて、この無線装置までの距離を測定している。
【先行技術文献】
【特許文献】
【０００４】
【特許文献１】米国特許第７９８７２９４号明細書
【特許文献２】特開２００６−８１１１０号公報
【発明の概要】
【発明が解決しようとする課題】
【０００５】
ところで、特許文献１に記載のワイヤレスオーディオシステムにおいて、同じグループに設定された複数のスピーカから同一ソースのオーディオ信号を出力する場合、各スピーカから出力されたオーディオ信号がリスニング位置で最適となるように、個別にスピーカの出力レベル、出力タイミングを調整する必要があり、設定作業が煩雑である。
【０００６】
ここで、特許文献１に記載のワイヤレスオーディオシステムに特許文献２に記載の技術を適用することで各スピーカからリスナーまでの距離を測定することができる。すなわち、リスナーが携帯するコントローラで各スピーカから出力された無線信号の受信電波強度を検出することにより、リスナーから各スピーカまでの距離を測定することができる。そして、リスナーから各スピーカまでの距離に応じて各スピーカの出力レベル、出力タイミングを調整することにより、設定作業の煩雑さを解消することも可能である。
【０００７】
しかしながら、リスナーからスピーカまでの距離が同じであっても、壁の配置、障害物の有無、スピーカの向き等によって音の伝わり方（遅延時間、入出力比）が異なってくる。このため、リスナーから各スピーカまでの距離に応じて各スピーカの出力レベル、出力タイミングを調整したのでは、各スピーカから出力されたオーディオ信号がリスニング位置で最適とならない可能性がある。
【０００８】
本発明は上記事情に鑑みてなされたものであり、その目的は、複数のスピーカから同一ソースのオーディオ信号を出力する場合に、リスニング位置で最適なオーディオ信号となるように各スピーカを調整することができる技術を提供することにある。
【課題を解決するための手段】
【０００９】
上記課題を解決するために、本発明では、ワイヤレススピーカから出力されたオーディオ信号を、リスナーが携帯するコントローラのマイクで集音し、ワイヤレススピーカからのオーディオ信号の出力時刻とコントローラのマイクへのオーディオ信号の入力時刻との差分である遅延時間を測定する処理を、同一ソースのオーディオ信号を出力する複数のワイヤレススピーカに対して実施して、各ワイヤレススピーカのオーディオ信号の遅延時間を測定する。そして、これらの遅延時間に基づいて、各ワイヤレススピーカの出力タイミングを調整する。
【００１０】
ここで、ワイヤレススピーカからのオーディオ信号の出力レベルとコントローラのマイクへのオーディオ信号の入力レベルとの比率である入出力比を測定する処理を、同一ソースのオーディオ信号を出力する複数のワイヤレススピーカに対して実施して、各ワイヤレススピーカのオーディオ信号の入出力比を測定してもよい。そして、これらの入出力比に基づいて、各ワイヤレススピーカの出力レベルを調整してもよい。この際、各ワイヤレススピーカのオーディオ信号の入出力比に基づいて、コントローラを携帯するリスナーと同じ部屋にこれらのワイヤレススピーカが設置されているか否かを判断し、同じ部屋に設置されていないと判断されたワイヤレススピーカは、同一ソースのオーディオ信号を出力するワイヤススピーカのグループから除外してもよい。
【００１１】
また、同一ソースのオーディオ信号を出力する複数のワイヤレススピーカが出力する無線信号の受信電波強度に基づいて、コントローラに対するこれらのワイヤレススピーカの相対位置を検出し、同一ソースのオーディオ信号を出力するワイヤレススピーカの数および相対位置に基づいて、ステレオモード、サラウンドモード等のオーディオ信号出力モードを決定するようにしてもよい。
【００１２】
例えば、本発明は、複数のワイヤレススピーカと、前記複数のワイヤレススピーカを遠隔操作するコントローラと、を備えたワイヤレスオーディオシステムであって、
前記複数のワイヤレスピーカ各々は、
前記コントローラから受け付けたテスト指示に従い、所定のオーディオ信号であるテスト信号を出力して前記テスト信号の出力時刻を前記コントローラに通知するか、あるいは、当該テスト指示で指定されている時刻に前記テスト信号を出力するテスト信号出力手段と、
前記コントローラから受け付けた出力調整指示に従い、再生対象のオーディオ信号の出力タイミングを調整する出力調整手段と、を有し、
前記コントローラは、
前記テスト信号を集音するマイクと、
前記複数のワイヤレススピーカ各々に対して、前記テスト指示を送信して当該ワイヤレススピーカに前記テスト信号を出力させ、前記テスト信号を前記マイクで集音し、当該ワイヤレススピーカから受け取った前記テスト信号の出力時刻、あるいは前記テスト指示で指定した前記テスト信号の出力時刻と、前記マイクへの前記テスト信号の入力時刻との差分である遅延時間を測定する測定手段と、
前記測定手段により測定された前記複数のワイヤレススピーカ各々の遅延時間に基づいて前記複数のワイヤレススピーカ各々の出力タイミングを決定する決定手段と、
前記複数のワイヤレススピーカ各々に対して、前記決定手段により決定された当該ワイヤレススピーカの出力タイミングの指定を含む前記出力調整指示を送信する出力調整指示送信手段と、を有する。
【発明の効果】
【００１３】
本発明では、ワイヤレススピーカから出力されたオーディオ信号を、リスナーが携帯するコントローラのマイクで集音し、ワイヤレススピーカからのオーディオ信号の出力時刻とコントローラのマイクへのオーディオ信号の入力時刻との差分である遅延時間を測定する処理を、同一ソースのオーディオ信号を出力する複数のワイヤレススピーカ各々に対して実施して、各ワイヤレススピーカのオーディオ信号の遅延時間に基づいて、各ワイヤレススピーカの出力タイミングを調整する。したがって、例えば、各ワイヤレススピーカから出力されたオーディオ信号が同じタイミングでリスニング位置に到達するように、リスニング位置で最適なオーディオ信号となるよう各ワイヤレススピーカを調整することができる。
【図面の簡単な説明】
【００１４】
【図１】図１は、本発明の第一実施の形態に係るワイヤレスオーディオシステムの概略構成図である。
【図２】図２は、本発明の第一実施の形態に係るワイヤレスオーディオシステムの動作を説明するためのフロー図である。
【図３】図３は、本発明の第一実施の形態に係るワイヤレスオーディオシステムの動作を説明するためのフロー図であり、図２の続きである。
【図４】図４は、本発明の第一実施の形態に係るワイヤレスオーディオシステムの動作を説明するためのフロー図であり、図３の続きである。
【図５】図５（Ａ）および図５（Ｂ）は、ワイヤレススピーカ１の設置位置を特定するための基準座標系の決定方法を説明するための図である。
【図６】図６（Ａ）および図６（Ｂ）は、第一および第二のワイヤレススピーカ以外のグループ化されたワイヤレススピーカ１の位置特定方法を説明するための図である。
【図７】図７は、ユーザから正面方向の指定を受け付けるためのコントローラ２およびグループ化されたワイヤレススピーカ１−ａ〜１−ｄの設置状態の表示画面例を示す図である。
【図８】図８は、ワイヤレススピーカ１の概略機能構成図である。
【図９】図９は、ワイヤレススピーカ１の動作を説明するためのフロー図である。
【図１０】図１０は、コントローラ２の概略機能構成図である。
【図１１】図１１は、コントローラ２の動作を説明するためのフロー図である。
【図１２】図１２は、図１１に示すグループ化処理（Ｓ２２１）を説明するためのフロー図である。
【図１３】図１３は、図１１に示す出力特性調整処理（Ｓ２２２）を説明するためのフロー図である。
【図１４】図１４は、図１１に示す出力モード設定処理（Ｓ２２３）を説明するためのフロー図である。
【図１５】図１５は、本発明の第二実施の形態に係るワイヤレスオーディオシステムの動作を説明するためのフロー図である。
【図１６】図１６（Ａ）は、ワイヤレススピーカ１’の設置位置を特定するための基準座標系の決定方法を説明するための図であり、図１６（Ｂ）は、第一のワイヤレススピーカ以外の、グループ化されたワイヤレススピーカ１’の位置特定方法を説明するための図である。
【図１７】図１７（Ａ）および図１７（Ｂ）は、第一のワイヤレススピーカ以外の、グループ化されたワイヤレススピーカ１’の位置特定方法を説明するための図である。
【図１８】図１８は、ワイヤレススピーカ１’の概略機能構成図である。
【図１９】図１９は、コントローラ２’の概略機能構成図である。
【図２０】図２０は、コントローラ２’の出力モード設定処理（Ｓ２２３’）を説明するためのフロー図である。
【発明を実施するための形態】
【００１５】
以下、本発明の実施の形態について、図面を参照して説明する。
［第一実施の形態］
図１は、本実施の形態に係るワイヤレスオーディオシステムの概略構成図である。
【００１６】
図示するように、本実施の形態に係るワイヤレスオーディオシステムは、楽曲データのオーディオ信号を再生し出力する複数のワイヤレススピーカ１−ａ〜１−ｋ（以下、単にワイヤレススピーカ１とも呼ぶ）と、ワイヤレススピーカ１を遠隔操作するコントローラ２と、を備えている。ここで、ワイヤレススピーカ１−ａ〜１−ｄは、Ａ号室に設置され、ワイヤレススピーカ１−ｅ、１−ｆは、Ｂ号室に設置され、ワイヤレススピーカ１−ｇ、１−ｈは、Ｃ号室に設置され、そして、ワイヤレススピーカ１−ｉ〜１−ｋは、Ｄ号室に設置されているものとする。
【００１７】
ワイヤレススピーカ１は、コントローラ２により設定されたオーディオ信号の出力特性（出力タイミング、出力レベル）およびオーディオ信号出力モード（ステレオモード、２．１チャンネルモード、４チャンネルモード等）に従い、楽曲データのオーディオ信号を再生し出力する。
【００１８】
コントローラ２は、同じ部屋に設置されているワイヤレススピーカ１を、同じ楽曲データのオーディオ信号を出力させるワイヤレススピーカ１としてグループ化し、グループに属する各ワイヤレススピーカ１の出力特性および出力モードを設定する。また、コントローラ２は、グループに属する各ワイヤレススピーカ１に再生対象の楽曲データを送信する。
【００１９】
図２〜図４は、本実施の形態に係るワイヤレスオーディオシステムの動作を説明するためのフロー図である。ここでは、コントローラ２を携帯するリスナーがＡ号室に設置されたワイヤレススピーカ１−ａ〜１−ｄの出力特性および出力モードを設定する場合を例にとり説明している。
【００２０】
各ワイヤレススピーカ１は、自ワイヤレススピーカ１に付与されたＩＤを含むビーコン信号を無線により定期的に送信している。コントローラ２は、コントローラ２を携帯するＡ号室に在室中のリスナーからワイヤレスオーディオシステムの環境設定指示を受け付けると、各ワイヤレススピーカ１から送信されるビーコン信号を受信して、その受信電波強度を検出する（Ｓ１０）。ここでは、すべてのワイヤレススピーカ１−ａ〜１−ｋのビーコン信号が受信され、それらの受信電波強度が検出されたものとする。
【００２１】
つぎに、コントローラ２は、ビーコン信号を受信したワイヤレススピーカ１−ａ〜１−ｋのそれぞれについて、ワイヤレススピーカ１から出力されたオーディオ信号がコントローラ２（リスナーのリスニング位置）に到達するまでの遅延時間および信号レベルの入出力比を測定する（Ｓ１１ａ〜Ｓ１１ｋ）。具体的には、コントローラ２は、ワイヤレススピーカ１に対して、出力時刻および出力レベルの指定を伴うテスト指示を送信する（Ｓ１１０）。これを受けて、ワイヤレススピーカ１は、所定のオーディオ信号であるテスト信号を、テスト指示にて指定された出力時刻に、テスト指示にて指定された出力レベルで出力する（Ｓ１１１）。コントローラ２は、ワイヤレススピーカ１から出力されたテスト信号を内蔵のマイクで集音し、このテスト信号のマイクへの入力時刻および入力レベルを検出する。そして、テスト指示で指定した出力時刻とマイクへの入力時刻との差分である遅延時間（入力時刻−出力時刻）を測定するとともに、テスト指示で指定した出力レベルとマイクへの入力レベルとの比率である入出力比（入力レベル／出力レベル）を測定する（Ｓ１１２）。この処理（Ｓ１１０〜Ｓ１１２）を、ビーコン信号を受信したワイヤレススピーカ１−ａ〜１−ｋのそれぞれについて、順番に実施する。
【００２２】
それから、コントローラ２は、ビーコン信号を受信したワイヤレススピーカ１−ａ〜１−ｋの入出力比に基づいて、コントローラ２を携帯するリスナーが在室するＡ号室に設置されているワイヤレススピーカ１−ａ〜１−ｄを特定し、これらのワイヤレススピーカ１−ａ〜１−ｄを、同じ楽曲データのオーディオ信号を出力するワイヤレススピーカ１としてグループ化する（Ｓ１２）。別の部屋（Ｂ号室〜Ｄ号室）に設置されているワイヤレススピーカ１−ｅ〜１−ｋからのテスト信号は、壁等を介してコントローラ２のマイクに入力されるため、同じ部屋（Ａ号室）にセットされているワイヤレススピーカ１−ａ〜１−ｄからのテスト信号に比べて大きく減衰する。そこで、例えば、最大入出力比を基準比として、この基準比に対する割合（入出力比／基準比）が所定値（例えば０．９）以上となる入出力比のワイヤレススピーカ１を、同じ部屋に設置されているワイヤレススピーカ１としてグループ化する。
【００２３】
つぎに、コントローラ２は、グループ化したワイヤレススピーカ１−ａ〜１−ｄのテスト信号の遅延時間および入出力比を用いて、これらのワイヤレススピーカ１−ａ〜１−ｄの出力特性を決定する（Ｓ１３）。例えば、最大遅延時間を基準時間とし、各ワイヤレススピーカ１について、遅延時間から基準時間を引算した値（遅延時間−基準時間）を、ワイヤレススピーカ１で再生された楽曲データのオーディオ信号の出力タイミング（出力調整時間）とする。また、最大入出力比を基準比とし、各ワイヤレススピーカ１について、基準比を入出力比で除算した値（基準比／入出力比）にテスト指示で指定した出力レベルを乗じた値を、ワイヤレススピーカ１で再生された楽曲データのオーディオ信号の出力レベルとする。
【００２４】
つぎに、コントローラ２は、グループ化したワイヤレススピーカ１−ａ〜１−ｄのそれぞれに対して、以上のようにして決定した出力タイミングおよび出力レベルの指定を含む出力調整指示を送信する（Ｓ１４）。
【００２５】
これを受けて、ワイヤレススピーカ１−ａ〜１−ｄは、楽曲データのオーディオ信号の出力特性を調整する（Ｓ１５ａ〜Ｓ１５ｄ）。具体的には、再生した楽曲データのオーディオ信号をバッファリングして、出力調整指示で指定されている出力タイミングだけ遅延させてから、出力調整指示で指定されている出力レベルで出力するように調整する。
【００２６】
つぎに、コントローラ２は、グループ化されたワイヤレススピーカ１−ａ〜１−ｄのなかから２つのワイヤレススピーカ１を選択し、これらのワイヤレススピーカ１を第一および第二のワイヤレススピーカに設定する。例えば、ビーコン信号の受信電波強度の高い方から順にワイヤレススピーカ１を２つ選択し、これらを第一および第二のワイヤレススピーカに設定する。ここでは、ビーコン信号の受信電波強度が最も高いワイヤレススピーカ１−ａが第一のワイヤレススピーカに設定され、２番目に高いワイヤレススピーカ１−ｂが第二のワイヤレススピーカに設定されたものとする。コントローラ２は、第一のワイヤレススピーカに設定されたワイヤレススピーカ１−ａに対して、第二のワイヤレススピーカに設定されたワイヤレススピーカ１−ｂのＩＤの指定を含む電波検出指示を送信する（Ｓ１６）。
【００２７】
第一のワイヤレススピーカ１−ａは、コントローラ２から電波検出指示を受信すると、この電波検出指示で指定されている第二のワイヤレススピーカ１−ｂのＩＤの指定を含むビーコン信号を受信して、その受信電波強度Ｗａｂを検出する（Ｓ１７）。そして、検出した受信電波強度を含む受信電波情報をコントローラ２に送信する（Ｓ１８）。
【００２８】
コントローラ２は、第一のワイヤレススピーカ１−ａから受信電波情報を受信すると、この受信電波情報に含まれている受信電波強度（第一のワイヤレススピーカ１−ａで検出された第二のワイヤレススピーカ１−ｂのビーコン信号の受信電波強度Ｗａｂ）と、自コントローラ２で検出された第一のワイヤレススピーカ１−ａのビーコン信号の受信電波強度Ｗａおよび第二のワイヤレススピーカ１−ｂのビーコン信号の受信電波強度Ｗｂと、を用いて、グループ化されたワイヤレススピーカ１−ａ〜１−ｄの設置位置を特定するための基準座標系を決定する（Ｓ１９）。
【００２９】
図５（Ａ）および図５（Ｂ）は、ワイヤレススピーカ１の設置位置を特定するための基準座標系の決定方法を説明するための図である。
【００３０】
まず、コントローラ２は、図５（Ａ）に示すように、自コントローラ２で検出された第一および第二のワイヤレススピーカ１−ａ、１−ｂのビーコン信号の受信電波強度の一方（ここでは、第一のワイヤレススピーカ１−ａのビーコン信号の受信電波強度Ｗａ）を基準強度Ｓとする。つぎに、自コントローラ２で検出された第一のワイヤレススピーカ１−ａのビーコン信号の受信電波強度Ｗａで基準強度Ｓを除算し、その結果Ｓ／Ｗａを、自コントローラ２と第一のワイヤレススピーカ１−ａとの間の距離とする。また、自コントローラ２で検出されたワイヤレススピーカ１−ｂのビーコン信号の受信電波強度Ｗｂで基準強度Ｓを除算し、その結果Ｓ／Ｗｂを、自コントローラ２と第二のワイヤレススピーカ１−ｂとの間の距離とする。さらに、第一のワイヤレススピーカ１−ａで検出された第二のワイヤレススピーカ１−ｂのビーコン信号の受信電波強度Ｗａｂで基準強度Ｓを除算し、その結果Ｓ／Ｗａｂを、第一のワイヤレススピーカ１−ａと第二のワイヤレススピーカ１−ｂとの間の距離とする。そして、コントローラ２および第一のワイヤレススピーカ１−ａ間の距離Ｓ／Ｗａと、コントローラ２および第二のワイヤレススピーカ１−ｂ間の距離Ｓ／Ｗｂと、第一のワイヤレススピーカ１−ａおよび第二のワイヤレススピーカ１−ｂ間の距離Ｓ／Ｗａｂとを用いて、コントローラ２、第一のワイヤレススピーカ１−ａおよび第二のワイヤレススピーカ１−ｂの相対的位置を特定し、これらを頂点とする三角形の内角（頂点：コントローラ２の内角α、頂点：第一のワイヤレススピーカ１−ａの内角β、頂点：第二のワイヤレススピーカ１−ｂの内角γ）を求める。
【００３１】
つぎに、コントローラ２は、図５（Ｂ）に示すように、自コントローラ２を原点（０，０）に設定する。そして、第一のワイヤレススピーカ１−ａ側をプラス側として、自コントローラ２と第一のワイヤレススピーカ１−ａとを通る直線をＹ軸に設定することにより、基準座標系（ＸＹ直交座標系）を決定する。それから、第一のワイヤレススピーカ１−ａの位置を基準座標系上の位置（０，Ｓ／Ｗａ）に変換するとともに、第二のワイヤレススピーカ１−ｂの位置を基準座標系上の位置（（Ｓ／Ｗｂ）ｓｉｎ  α，（Ｓ／Ｗｂ）ｃｏｓ  α）に変換する。
【００３２】
つぎに、コントローラ２は、以上のようにして基準座標系を決定したならば、第一のワイヤレススピーカ１−ａおよび第二のワイヤレススピーカ１−ｂのそれぞれに対して、第一および第二のワイヤレススピーカ１−ａ、１−ｂ以外のグループ化されたワイヤレススピーカ１−ｃ、１−ｄのＩＤの指定を含む電波検出指示を送信する（Ｓ２０）。
【００３３】
第一のワイヤレススピーカ１−ａは、コントローラ２から電波検出指示を受信すると、この電波検出指示で指定されているワイヤレススピーカ１−ｃのＩＤを含むビーコン信号、およびワイヤレススピーカ１−ｄのＩＤを含むビーコン信号をそれぞれ受信して、それらの受信電波強度を検出する（Ｓ２１）。そして、ワイヤレススピーカ１−ｃ、１−ｄ各々のビーコン信号の受信電波強度を含む受信電波情報をコントローラ２に送信する（Ｓ２２）。
【００３４】
同様に、第二のワイヤレススピーカ１−ｂは、コントローラ２から電波検出指示を受信すると、この電波検出指示で指定されているワイヤレススピーカ１−ｃのＩＤを含むビーコン信号、およびワイヤレススピーカ１−ｄのＩＤを含むビーコン信号をそれぞれ受信して、それらの受信電波強度を検出する（Ｓ２３）。そして、ワイヤレススピーカ１−ｃ、１−ｄ各々のビーコン信号の受信電波強度を含む受信電波情報をコントローラ２に送信する（Ｓ２４）。
【００３５】
コントローラ２は、第一のワイヤレススピーカ１−ａおよび第二のワイヤレススピーカ１−ｂから受信電波情報を受信すると、第一のワイヤレススピーカ１−ａから受信した受信電波情報に含まれている受信電波強度（第一のワイヤレススピーカ１−ａで検出されたワイヤレススピーカ１−ｃ、１−ｄのビーコン信号の受信電波強度Ｗａｃ、Ｗａｄ）と、第二のワイヤレススピーカ１−ｂから受信した受信電波情報に含まれている受信電波強度（第二のワイヤレススピーカ１−ｂで検出されたワイヤレススピーカ１−ｃ、１−ｄのビーコン信号の受信電波強度Ｗｂｃ、Ｗｂｄ）と、自コントローラ２で検出されたワイヤレススピーカ１−ｃ、１−ｄのビーコン信号の受信電波強度Ｗｃ、Ｗｄと、自コントローラ２、第一のワイヤレススピーカ１−ａおよび第二のワイヤレススピーカ１−ｂ各々の基準座標系上の位置と、に基づいて、ワイヤレススピーカ１−ｃおよびワイヤレススピーカ１−ｄ各々の基準座標系上の位置を特定する。これにより、グループ化されたすべてのワイヤレススピーカ１−ａ〜１−ｄの設置状態を特定する（Ｓ２５）。
【００３６】
図６（Ａ）および図６（Ｂ）は、第一および第二のワイヤレススピーカ以外のグループ化されたワイヤレススピーカ１の位置特定方法を説明するための図である。
【００３７】
まず、コントローラ２は、図６（Ａ）に示すように、基準座標系を決定する際に用いた基準強度Ｓを、自コントローラ２で検出されたワイヤレススピーカ１−ｃのビーコン信号の受信電波強度Ｗｃで除算し、その結果Ｓ／Ｗｃを、自コントローラ２とワイヤレススピーカ１−ｃとの間の距離とする。そして、自コントローラ２を中心とし、半径Ｓ／Ｗｃの円Ｒｃを求める。また、第一のワイヤレススピーカ１−ａで検出されたワイヤレススピーカ１−ｃのビーコン信号の受信電波強度Ｗａｃで基準強度Ｓを除算し、その結果Ｓ／Ｗａｃを、第一のワイヤレススピーカ１−ａとワイヤレススピーカ１−ｃとの間の距離とする。そして、第一のワイヤレススピーカ１−ａを中心とし、半径Ｓ／Ｗａｃの円Ｒａｃを求める。また、第二のワイヤレススピーカ１−ｂで検出されたワイヤレススピーカ１−ｃのビーコン信号の受信電波強度Ｗｂｃで基準強度Ｓを除算し、その結果Ｓ／Ｗｂｃを、第二のワイヤレススピーカ１−ｂとワイヤレススピーカ１−ｃとの間の距離とする。そして、第二のワイヤレススピーカ１−ｂを中心とし、半径Ｓ／Ｗｂｃの円Ｒｂｃを求める。以上のようにして求めた円Ｒｃ、円Ｒａｃおよび円Ｒｂｃの交点を求め、この交点をワイヤレススピーカ１−ｃの基準座標系上の位置とする。
【００３８】
つぎに、コントローラ２は、図６（Ｂ）に示すように、自コントローラ２で検出されたワイヤレススピーカ１−ｄのビーコン信号の受信電波強度Ｗｄで基準強度Ｓを除算し、その結果Ｓ／Ｗｄを、自コントローラ２とワイヤレススピーカ１−ｄとの距離とする。そして、自コントローラ２を中心とし、半径Ｓ／Ｗｄの円Ｒｄを求める。また、第一のワイヤレススピーカ１−ａで検出されたワイヤレススピーカ１−ｄのビーコン信号の受信電波強度Ｗａｄで基準強度Ｓを除算し、その結果Ｓ／Ｗａｄを、第一のワイヤレススピーカ１−ａとワイヤレススピーカ１−ｄとの間の距離とする。そして、第一のワイヤレススピーカ１−ａを中心とし、半径Ｓ／Ｗａｄの円Ｒａｄを求める。また、第二のワイヤレススピーカ１−ｂで検出されたワイヤレススピーカ１−ｄのビーコン信号の受信電波強度Ｗｂｄで基準強度Ｓを除算し、その結果Ｓ／Ｗｂｄを、第二のワイヤレススピーカ１−ｂとワイヤレススピーカ１−ｄとの間の距離とする。そして、第二のワイヤレススピーカ１−ｂを中心とし、半径Ｓ／Ｗｂｄの円Ｒｂｄを求める。以上のようにして求めた円Ｒｄ、円Ｒａｄおよび円Ｒｂｄの交点を求め、この交点を、ワイヤレススピーカ１−ｄの基準座標系上の位置とする。
【００３９】
つぎに、コントローラ２は、例えば、図７に示すように、自コントローラ２およびグループ化されたワイヤレススピーカ１−ａ〜１−ｄの設置状態（基準座標系上の位置）を表示画面２００に表示して（Ｓ２６）、自コントローラ２を携帯するユーザからユーザ（コントローラ２）の正面方向Ｐの指定２０１を受け付ける。そして、グループ化されたワイヤレススピーカ１−ａ〜１−ｄの設置状態に、ユーザより受け付けた正面方向Ｐを反映させる（Ｓ２７）。これにより、グループ化されたワイヤレススピーカ１−ａ〜１−ｄのそれぞれがユーザ（コントローラ２）の前後左右のいずれに設置されているか特定される。図７に示す例では、ワイヤレススピーカ１−ａがユーザの後方右側に設置され、ワイヤレススピーカ１−ｂがユーザの後方左側に設置され、ワイヤレススピーカ１−ｃがユーザの前方右側に設置され、ワイヤレススピーカ１−ｄがユーザの前方左側に設置されていることになる。
【００４０】
つぎに、コントローラ２は、グループ化されたワイヤレススピーカ１−ａ〜１−ｄの数、およびユーザの正面方向Ｐが反映されたワイヤレススピーカ１−ａ〜１−ｄの設置状態に基づいて、グループ化されたワイヤレススピーカ１−ａ〜１−ｄのオーディオ信号出力モードを決定する（Ｓ２８）。例えば、図７に示す例では、４チャンネルモードが選択され、ワイヤレススピーカ１−ａに後方右側（ＲＲ）チャンネルが割り当てられ、ワイヤレススピーカ１−ｂに後方左側（ＲＬ）チャンネルが割り当てられ、ワイヤレススピーカ１−ｃに前方右側（ＦＲ）が割り当てられ、そして、ワイヤレススピーカ１−ｄに前方左側（ＦＬ）が割り当てられることになる。
【００４１】
それから、コントローラ２は、グループ化されたワイヤレススピーカ１−ａ〜１−ｄのそれぞれに、オーディオ信号出力モードおよび担当チャンネルを含む出力モード設定指示を送信する（Ｓ２９）。これを受けて、グループ化されたワイヤレススピーカ１−ａ〜１−ｄのそれぞれは、コントローラ２から受信した出力モード設定指示に従い、オーディオ信号出力モードおよび自身の担当チャンネルを設定する（Ｓ３０ａ〜Ｓ３０ｄ）。
【００４２】
つぎに、本実施の形態に係るワイヤレスオーディオシステムのワイヤレススピーカ１およびコントローラ２の詳細について説明する。
【００４３】
まず、ワイヤレススピーカ１について説明する。
【００４４】
図８は、ワイヤレススピーカ１の概略機能構成図である。この図に示すワイヤレススピーカ１の機能構成は、例えば、ＣＰＵと、メモリと、フラッシュメモリ等の補助記憶装置と、Ｂｌｕｅｔｏｏｔｈ（登録商標）等の無線通信装置と、スピーカと、を備えたコンピュータにおいて、ＣＰＵが所定のプログラムを補助記憶装置からメモリ上にロードして実行することにより実現される。
【００４５】
図示するように、ワイヤレススピーカ１は、スピーカ部１０と、コントローラインターフェース部１１と、ビーコン信号送受信部１２と、受信電波強度検出部１３と、テスト信号再生部１４と、楽曲データ再生部１５と、出力特性調整部１６と、主制御部１７と、を備えている。
【００４６】
コントローラインターフェース部１１は、Ｂｌｕｅｔｏｏｔｈ（登録商標）等の無線によりコントローラ２と通信するためのインターフェースである。
【００４７】
ビーコン信号送受信部１２は、ＲＳＳＩ（Ｒｅｃｅｉｖｅｄ  Ｓｉｇｎａｌ  Ｓｔｒｅｎｇｔｈ  Ｉｎｄｉｃａｔｏｒ）等の自ワイヤレススピーカ１に付与されたＩＤを含むビーコン信号を無線により定期的に送信する。また、主制御部１７の指示に従い、主制御部１７より通知されたＩＤを含むビーコン信号を無線により受信する。
【００４８】
受信電波強度検出部１３は、ビーコン信号送受信部１２により受信されたビーコン信号の受信電波強度を検出する。
【００４９】
テスト信号再生部１４は、主制御部１７の指示に従い、主制御部１７より通知された出力時刻に、所定のオーディオ信号であるテスト信号を再生して、主制御部１７より通知された出力レベルでスピーカ部１０から出力する。
【００５０】
楽曲データ再生部１５は、コントローラインターフェース部１１を介してコントローラ２から自ワイヤレススピーカ１のＩＤを宛先に含む楽曲データを受信する。そして、主制御部１７により設定されたオーディオ信号出力モードおよび自ワイヤレススピーカ１の担当チャンネルに従い、この楽曲データのオーディオ信号を再生する。
【００５１】
出力特性調整部１６は、主制御部１７により設定された出力特性に従い、楽曲データ再生部１５で再生されたオーディオ信号をスピーカ部１０から出力する。具体的には、主制御部１７により設定された出力タイミング（出力調整時間）分だけオーディオ信号をバッファリングすることにより、スピーカ部１０からのオーディオ信号の出力タイミングを調整する。また、スピーカ部１０からのオーディオ信号の出力レベルを、主制御部１７により設定された出力レベルに調整する。
【００５２】
主制御部１７は、ワイヤレススピーカ１の各部１０〜１６を統括的に制御する。また、主制御部１７は、コントローラインターフェース部１１を介してコントローラ２より受け付けた指示に従い、テスト信号再生部１４にテスト信号を再生させたり、ビーコン信号送受信部１２にビーコン信号を受信させたりする。また、楽曲データ再生部１５にオーディオ信号出力モードおよび担当チャンネルを設定したり、出力特性調整部１６に出力特性（出力タイミング、出力レベル）を設定したりする。
【００５３】
図９は、ワイヤレススピーカ１の動作を説明するためのフロー図である。
【００５４】
ビーコン信号送受信部１２は、定期的に到来するビーコン信号送信タイミングが到来すると（Ｓ２００でＹＥＳ）、自ワイヤレススピーカ１のＩＤを含むビーコン信号を無線により送信する（Ｓ２０１）。
【００５５】
主制御部１７は、コントローラインターフェース部１１を介してコントローラ２からテスト指示を受信すると（Ｓ２０２でＹＥＳ）、このテスト指示で指定されている出力時刻および出力レベルをテスト信号再生部１４に通知する。これを受けて、テスト信号再生部１４は、指定された出力時刻にテスト信号を再生し、この再生したテスト信号を指定された出力レベルでスピーカ部１０から出力する（Ｓ２０３）。
【００５６】
また、主制御部１７は、コントローラインターフェース部１１を介してコントローラ２から出力調整指示を受信すると（Ｓ２０４でＹＥＳ）、この出力調整指示で指定されている出力タイミングおよび出力レベルを出力特性調整部１６に設定する（Ｓ２０５）。
【００５７】
また、主制御部１７は、コントローラインターフェース部１１を介してコントローラ２から電波検出指示を受信すると（Ｓ２０６でＹＥＳ）、この電波検出指示で指定されているＩＤをビーコン信号送受信部１２に通知する。これを受けてビーコン信号送受信部１２は、このＩＤを含むビーコン信号を受信する（Ｓ２０７）。そして、受信電波強度検出部１３は、ビーコン信号送受信部１２で受信されたビーコン信号の受信電波強度を検出し、検出した受信電波強度を主制御部１７に通知する（Ｓ２０８）。これを受けて、主制御部１７は、受信電波強度検出部１３から通知された受信電波強度およびビーコン信号送受信部１２に通知したＩＤを含む受信電波情報を生成する。そして、コントローラインターフェース部１１を介してコントローラ２に、この受信電波情報を送信する（Ｓ２０９）。
【００５８】
また、主制御部１７は、コントローラインターフェース部１１を介してコントローラ２から出力モード設定指示を受信すると（Ｓ２１０でＹＥＳ）、この出力モード設定指示で指定されているオーディオ信号出力モードおよび担当チャンネルを楽曲データ再生部１５に設定する（Ｓ２１１）。
【００５９】
楽曲データ再生部１５は、コントローラインターフェース部１１を介してコントローラ２から自ワイヤレススピーカ１のＩＤを含む再生指示を受信すると（Ｓ２１２でＹＥＳ）、設定されたオーディオ信号出力モードおよび担当チャンネルに従い、この再生指示に含まれている楽曲データのオーディオ信号を再生する（Ｓ２１３）。そして、出力特性調整部１６は、楽曲データ再生部１５で再生されたオーディオ信号を、設定された出力タイミング（出力調整時間）分だけバッファリングしてから、設定された出力レベルでスピーカ部１０から出力する（Ｓ２１４）。
【００６０】
つぎに、コントローラ２について説明する。
【００６１】
図１０は、コントローラ２の概略機能構成図である。この図に示すコントローラ２の機能構成は、例えば、ＣＰＵと、メモリと、フラッシュメモリ等の補助記憶装置と、タッチパネル、デイスプレイ、ポインティングデバイス等の入出力装置と、Ｂｌｕｅｔｏｏｔｈ（登録商標）等の無線通信装置と、マイクと、を備えたスマートホン、タブレットＰＣ等の携帯型コンピュータにおいて、ＣＰＵが所定のプログラムを補助記憶装置からメモリ上にロードして実行することにより実現される。
【００６２】
図示するように、コントローラ２は、マイク部２０と、グラフィカルユーザインターフェース部２１と、ワイヤレススピーカインターフェース部２２と、ビーコン信号受信部２３と、測定部２４と、テスト指示部２５と、出力調整指示部２６と、出力モード設定指示部２７と、電波検出指示部２８と、受信電波強度検出部２９と、楽曲データ記憶部３０と、再生指示部３１と、主制御部３２と、を備えている。
【００６３】
グラフィカルユーザインターフェース部２１は、情報を表示したり、ユーザから各種操作を受け付けたりするためのインターフェースである。
【００６４】
ワイヤレススピーカインターフェース部２２は、Ｂｌｕｅｔｏｏｔｈ（登録商標）等の無線によりワイヤレススピーカ１と通信するためのインターフェースである。
【００６５】
ビーコン信号受信部２３は、定期的にワイヤレススピーカ１から送信されるＲＳＳＩ等のビーコン信号を無線により受信する。
【００６６】
測定部２４は、ワイヤレススピーカ１から出力されて、マイク部２０に入力されたテスト信号の信号特性を測定するものであり、遅延時間測定部２４０と、入出力比測定部２４１と、を有する。
【００６７】
遅延時間測定部２４０は、マイク部２０に入力されたテスト信号の入力時刻と、主制御部３２より通知されたワイヤレススピーカ１からの出力時刻との差分である遅延時間（入力時刻−出力時刻）を測定する。
【００６８】
入出力比測定部２４１は、主制御部３２より通知されたワイヤレススピーカ１からのテスト信号の出力レベルと、マイク部２０に入力されたテスト信号の入力レベルとの比率である入出力比（入力レベル／出力レベル）を測定する。
【００６９】
テスト指示部２５は、ワイヤレススピーカインターフェース部２２を介してワイヤレススピーカ１に、出力時刻および出力レベルの指定を伴うテスト指示を送信する。
【００７０】
出力調整指示部２６は、ワイヤレススピーカインターフェース部２２を介してワイヤレススピーカ１に、出力タイミングおよび出力レベルの指定を伴う出力調整指示を送信する。
【００７１】
出力モード設定指示部２７は、ワイヤレススピーカインターフェース部２２を介してワイヤレススピーカ１に、オーディオ信号出力モードおよび担当チャンネルの指定を伴う出力モード設定指示を送信する。
【００７２】
電波検出指示部２８は、ワイヤレススピーカインターフェース部２２を介してワイヤレススピーカ１に、受信対象のビーコン信号の発信元となるワイヤレススピーカ１のＩＤの指定を伴う電波検出指示を送信する。そして、電波検出指示送信先のワイヤレススピーカ１から、ビーコン信号の受信電波強度およびこのビーコン信号の発信元となるワイヤレススピーカ１のＩＤを含む受信電波情報を受信する。
【００７３】
受信電波強度検出部２９は、ビーコン信号受信部２３により受信されたビーコン信号の受信電波強度を検出し、このビーコン信号に付加されているワイヤレススピーカ１のＩＤとともに、検出した受信電波強度を主制御部３２に通知する。
【００７４】
楽曲データ記憶部３０には、楽曲データが記憶されている。
【００７５】
再生指示部３１は、主制御部３２より受け取った楽曲データおよびワイヤレススピーカ１のＩＤを含む再生指示を、ワイヤレススピーカインターフェース部２２から送信する。
【００７６】
主制御部３２は、コントローラ２の各部２０〜３１を統括的に制御する。また、主制御部３２は、制御対象判断部３２０と、決定部３２１と、設置状態判定部３２２と、出力モード決定部３２３と、を有する。
【００７７】
制御対象判断部３２０は、ワイヤレススピーカ１各々について、測定部２４により測定されたこのワイヤレススピーカ１のテスト信号の入出力比に基づいて、コントローラ２を携帯するユーザが在室中の部屋にこのワイヤレススピーカ１が設置されているか否かを判断する。そして、コントローラ２を携帯するユーザが在室中の部屋に設置されていると判断されたワイヤレススピーカ１を制御対象としてグループ化する。
【００７８】
決定部３２１は、測定部２４での測定結果に基づいて制御対象判断部３２０によりグループ化されたワイヤレススピーカ１のオーディオ信号出力特性を決定するものであり、出力タイミング決定部３２４と、出力レベル決定部３２５と、を有する。
【００７９】
出力タイミング決定部３２４は、制御対象判断部３２０によりグループ化されたワイヤレススピーカ１について測定部２４で測定されたテスト信号の遅延時間に基づいて、例えば、これらのワイヤレススピーカ１から出力されたオーディオ信号が同じタイミングでコントローラ２に到達するように、これらのワイヤレススピーカ１各々の出力タイミング（出力調整時間）を決定する。
【００８０】
出力レベル決定部３２５は、制御対象判断部３２０によりグループ化されたワイヤレススピーカ１について測定部２４で測定されたテスト信号の入出力比に基づいて、例えば、これらのワイヤレススピーカ１から出力されたオーディオ信号が同じ音量レベルでコントローラ２に到達するように、これらのワイヤレススピーカ１各々の出力レベルを決定する。
【００８１】
設置状態判定部３２２は、制御対象判断部３２０によりグループ化されたワイヤレススピーカ１の設置状態を判定するものであり、基準座標決定部３２６と、位置特定部３２７と、を有する。
【００８２】
基準座標決定部３２６は、グループ化されたワイヤレススピーカ１のなかから選択された第一および第二のワイヤレススピーカ１について受信電波強度検出部２９で検出されたビーコン信号の受信電波強度と、第一のワイヤレススピーカ１における第二のワイヤレススピーカ１のビーコン信号の受信電波強度と、に基づいて、コントローラ２、第一および第二のワイヤレススピーカ１の相対位置を特定する。そして、この特定した相対位置に基づいて基準座標系を決定する（図５参照）。
【００８３】
位置特定部３２７は、グループ化されたワイヤレススピーカ１のうち第一および第二のワイヤレススピーカ１以外のワイヤレススピーカ１について受信電波強度検出部２９で検出されたビーコン信号の受信電波強度と、第一および第二のワイヤレススピーカ１におけるグループ内の他のワイヤレススピーカ１のビーコン信号の受信電波強度と、コントローラ２、第一および第二のワイヤレススピーカ１の基準座標系における位置情報と、に基づいて、第一および第二のワイヤレススピーカ１以外のワイヤレススピーカ１各々の基準座標系上における位置情報を特定する（図６参照）。
【００８４】
出力モード決定部３２３は、設置状態判定部３２２により判断されたグループ化されたワイヤレススピーカ１の設置状態、およびグラフィカルユーザインターフェース部２１を介してユーザより受け付けたユーザの正面方向（図７参照）に基づいて、グループ化されたワイヤレススピーカ１のオーディオ信号出力モードおよびこれらのワイヤレススピーカ１各々の担当チャンネルを決定する。
【００８５】
図１１は、コントローラ２の動作を説明するためのフロー図である。
【００８６】
まず、主制御部３２は、グラフィカルユーザインターフェース部２１を介してユーザから楽曲データのオーディオ信号を再生・出力するワイヤレススピーカ１の環境設定指示を受け付けると（Ｓ２２０でＹＥＳ）、後述のグループ化処理を実施して、自コントローラ２を携帯するユーザが在室中の部屋に設置されているワイヤレススピーカ１を、同じ楽曲データのオーディオ信号を再生・出力するワイヤレススピーカ１としてグループ化する（Ｓ２２１）。つぎに、主制御部３２は、後述の出力特性調整処理を実施して、グループ化されたワイヤレススピーカ１各々の出力特性（出力タイミング、出力レベル）を調整する（Ｓ２２２）。それから、主制御部３２は、後述の出力モード設定処理を実施して、グループ化されたワイヤレススピーカ１に対するオーディオ信号出力モードおよびこれらのワイヤレススピーカ１各々の担当チャンネルを設定する（Ｓ２２３）。
【００８７】
グループ化されたワイヤレススピーカ１の出力特性が調整され、かつオーディオ信号出力モードおよび担当チャンネルが設定された後、主制御部３２は、グラフィカルユーザインターフェース部２１を介してユーザから楽曲データの指定を伴う再生指示を受け付けると（Ｓ２２４でＹＥＳ）、この楽曲データを楽曲データ記憶部３０から読み出して、グループ化されたワイヤレススピーカ１各々のＩＤとともに再生指示部３１に渡す。これを受けて、再生指示部３１は、主制御部３２から受け取った楽曲データおよびグループ化されたワイヤレススピーカ１各々のＩＤを含む再生指示を、ワイヤレススピーカインターフェース部２２から送信する（Ｓ２２５）。
【００８８】
図１２は、図１１に示すグループ化処理（Ｓ２２１）を説明するためのフロー図である。
【００８９】
まず、主制御部３２の制御対象判断部３２０は、ビーコン信号受信部２３により受信されたビーコン信号の受信電波強度を、ビーコン信号に付加されたワイヤレススピーカ１のＩＤとともに受信電波強度検出部２９から取得することにより、自ワイヤレススピーカ１と通信可能なワイヤレススピーカ１を認識する。そして、自ワイヤレススピーカ１と通信可能なワイヤレススピーカ１のなかから未選択のワイヤレススピーカ１をテスト対象として一つ選択する（Ｓ２２１０）。
【００９０】
つぎに、制御対象判断部３２０は、テスト対象に選択されたワイヤレススピーカ１のＩＤを、予め定められた出力レベルおよび現在時刻から所定時間経過後に設定された出力時刻とともにテスト指示部２５に通知するとともに、マイク部２０を有効にする。これを受けて、テスト指示部２５は、制御対象判断部３２０より通知されたワイヤレススピーカ１のＩＤ、出力時刻および出力レベルの指定を伴うテスト指示を、ワイヤレススピーカインターフェース部２２から送信する（Ｓ２２１１）。これにより、テスト指示で指定されているＩＤを有するワイヤレススピーカ１は、テスト指示で指定されている出力時刻に、テスト指示で指定されている出力レベルでテスト信号を出力する。そして、このテスト信号がマイク部２０に入力される（Ｓ２２１２）。
【００９１】
つぎに、測定部２４の遅延時間測定部２４０は、テスト指示で指定されている出力時刻とマイク部２０に入力されたテスト信号の入力時刻との差分である遅延時間（入力時刻−出力時刻）を測定し（Ｓ２２１３）、また、測定部２４の入出力比測定部２４１は、テスト指示で指定されている出力レベルとマイク部２０に入力されたテスト信号の入力レベルとの比率である入出力比（入力レベル／出力レベル）を測定し（Ｓ２２１４）、これを制御対象判断部３２０に通知する。これを受けて、制御対象判断部３２０は、この遅延時間および入出力比を、テスト指示で指定されているワイヤレススピーカ１のＩＤに対応付けて記憶する。
【００９２】
つぎに、制御対象判断部３２０は、自ワイヤレススピーカ１と通信可能なすべてのワイヤレススピーカ１をテスト対象に選択したか否かを判断する（Ｓ２２１５）。テスト対象に選択していないワイヤレススピーカ１があるならば（Ｓ２２１５でＮＯ）、Ｓ２２１０に戻る。
【００９３】
一方、自ワイヤレススピーカ１と通信可能なすべてのワイヤレススピーカ１をテスト対象に選択したならば（Ｓ２２１５でＹＥＳ）、制御対象判断部３２０は、入出力比測定部２４１から受け取った入出力比のなかの最大入出力比を基準比に設定する（Ｓ２２１６）。それから、制御対象判断部３２０は、入出力比測定部２４１から受け取った各入出力比の基準比に対する割合（入出力比／基準比）を求め、この割合が所定値（例えば０．９）以上となる入出力比に対応付けられたＩＤを有するワイヤレススピーカ１をグループ化する（Ｓ２２１７）。その後、図１１に示す出力特性調整処理（Ｓ２２２）に進む。
【００９４】
図１３は、図１１に示す出力特性調整処理（Ｓ２２２）を説明するためのフロー図である。
【００９５】
まず、主制御部３２の決定部３２１の出力タイミング決定部３２４は、制御対象判断部３２０によりグループ化されたワイヤレススピーカ１各々について測定部２４の遅延時間測定部２４０により測定された遅延時間（入力時刻−出力時刻）の最大遅延時間を基準時間に設定する（Ｓ２２２０）。また、決定部３２１の出力レベル決定部３２５は、グループ化されたワイヤレススピーカ１各々について測定部２４の入出力比測定部２４１により測定された入出力比（出力レベル／入力レベル）の最大入出力比を基準比に設定する（Ｓ２２２１）。
【００９６】
つぎに、決定部３２１は、グループ化されたワイヤレススピーカ１のなかから未選択のワイヤレススピーカ１を調整対象として選択する（Ｓ２２２２）。
【００９７】
つぎに、出力タイミング決定部３２４は、基準時間と、調整対象のワイヤレススピーカ１について遅延時間測定部２４０により測定された遅延時間との差分（基準時間−遅延時間）を算出し、この差分を調整対象のワイヤレススピーカ１の出力タイミング（出力調整時間）に決定する（Ｓ２２２３）。また、出力レベル決定部３２５は、調整対象のワイヤレススピーカ１について入出力比測定部２４１により測定された入出力比で基準比を除算して、この除算した値（基準比／入出力比）にテスト指示で指定した出力レベルを乗じた値を、調整対象のワイヤレススピーカ１の出力レベルに決定する（Ｓ２２２４）。
【００９８】
つぎに、決定部３２１は、グループ化されたワイヤレススピーカ１のなかに調整対象として未選択のワイヤレススピーカ１があるならば（Ｓ２２２５でＮＯ）、Ｓ２２２２に戻る。一方、グループ化されたワイヤレススピーカ１のすべてを調整対象として選択済みならば（Ｓ２２２５でＹＥＳ）、決定部３２１は、グループ化されたワイヤレススピーカ１毎に、このワイヤレススピーカ１の出力タイミングおよび出力レベルを、このワイヤレススピーカ１のＩＤとともに出力調整指示部２６に通知する。
【００９９】
これを受けて、出力調整指示部２６は、グループ化されたワイヤレススピーカ１毎に、このワイヤレススピーカ１のＩＤ、出力タイミングおよび出力レベルを含む出力調整指示を生成して、ワイヤレススピーカインターフェース部２２から送信する（Ｓ２２２６）。
【０１００】
図１４は、図１１に示す出力モード設定処理（Ｓ２２３）を説明するためのフロー図である。
【０１０１】
まず、主制御部３２の設置状態判定部３２２の基準座標決定部３２６は、制御対象判断部３２０によりグループ化されたワイヤレススピーカ１各々について受信電波強度検出部２９により検出されたビーコン信号の受信電波強度に基づいて、第一および第二のワイヤレススピーカ１を決定する（Ｓ２２３０）。例えば、最も強い受信電波強度のワイヤレススピーカ１を第一のワイヤレススピーカ１とし、二番目に強い受信電波強度のワイヤレススピーカ１を第二のワイヤレススピーカ１とする。
【０１０２】
つぎに、基準座標決定部３２６は、検出主体のＩＤとして第一のワイヤレススピーカ１のＩＤおよび検出対象のＩＤとして第二のワイヤレススピーカのＩＤを電波検出指示部２８に通知する。これを受けて、電波検出指示部２８は、第一のワイヤレススピーカ１のＩＤを検出主体のＩＤとし、第二のワイヤレススピーカ１のＩＤを検出対象のＩＤとする電波検出指示を、ワイヤレススピーカインターフェース部２２から送信する（Ｓ２２３１）。そして、電波検出指示部２８は、第一のワイヤレススピーカ１から、第一のワイヤレススピーカ１で検出された第二のワイヤレススピーカ１のビーコン信号の受信電波強度を含む受信電波情報を受信する（Ｓ２２３２）。
【０１０３】
つぎに、基準座標決定部３２６は、受信電波強度検出部２９で検出された第一、第二のワイヤレススピーカ１各々のビーコン信号の受信電波強度と、第一のワイヤレススピーカ１から受信した受信電波情報に含まれている受信電波強度（第一のワイヤレススピーカ１で検出された第二のワイヤレススピーカ１のビーコン信号の受信電波強度）と、に基づいて、図５を用いて説明した要領により基準座標系を決定して、自コントローラ２および第一、第二のワイヤレススピーカ１の基準座標系上の位置を特定する（Ｓ２２３３）。
【０１０４】
つぎに、設置状態判定部３２２の位置特定部３２７は、グループ化されたワイヤレススピーカ１のなかから第一、第二のワイヤレススピーカ１以外の未選択のワイヤレススピーカ１を設定対象として選択する（Ｓ２２３４）。
【０１０５】
つぎに、位置特定部３２７は、検出主のＩＤとして第一、第二のワイヤレススピーカのＩＤおよび検出対象のＩＤとして設定対象のワイヤレススピーカ１のＩＤを、電波検出指示部２８に通知する。これを受けて、電波検出指示部２８は、第一、第二のワイヤレススピーカ１のＩＤを検出主体のＩＤとし、設定対象のワイヤレススピーカ１のＩＤを検出対象のＩＤとする電波検出指示をワイヤレススピーカインターフェース部２２から送信する（Ｓ２２３５）。そして、電波検出指示部２８は、第一のワイヤレススピーカ１で検出された設定対象のワイヤレススピーカ１のビーコン信号の受信電波強度を含む受信電波情報を第一のワイヤレススピーカ１から受信するとともに、第二のワイヤレススピーカ１で検出された設定対象のワイヤレススピーカ１のビーコン信号の受信電波強度を含む受信電波情報を第二のワイヤレススピーカ１から受信する（Ｓ２２３６）。
【０１０６】
つぎに、位置特定部３２７は、受信電波強度検出部２９で検出された設定対象のワイヤレススピーカ１のビーコン信号の受信電波強度と、第一のワイヤレススピーカ１から受信した受信電波情報に含まれている受信電波強度（第一のワイヤレススピーカ１で検出された設定対象のワイヤレススピーカ１のビーコン信号の受信電波強度）と、第二のワイヤレススピーカ１から受信した受信電波情報に含まれている受信電波強度（第二のワイヤレススピーカ１で検出された設定対象のワイヤレススピーカ１のビーコン信号の受信電波強度）と、自コントローラ２および第一、第二のワイヤレススピーカ１の基準座標系上における位置に基づいて、図６を用いて説明した要領により、設定対象のワイヤレススピーカ１の基準座標系上の位置を特定する（Ｓ２２３７）。
【０１０７】
つぎに、位置特定部３２７は、グループ化されたワイヤレススピーカ１のなかに第一、第二のワイヤレススピーカ１以外で設定対象として未選択のワイヤレススピーカ１があるならば（Ｓ２２３８でＮＯ）、Ｓ２２３４に戻る。一方、グループ化されたワイヤレススピーカ１を第一、第二のワイヤレススピーカ以外すべて設定対象として選択済みならば（Ｓ２２３８でＹＥＳ）、第一、第二のワイヤレススピーカ１を含むすべてのグループ化されたワイヤレススピーカ１の基準座標系上の位置が特定されたことになる。設置状態判定部３２２は、自コントローラ２の基準座標系上の位置と、グループ化されたすべてのワイヤレススピーカ１の基準座標系上の位置とに基づいて、グループ化されたワイヤレススピーカ１の設置状態（グループ化されたワイヤレススピーカ１各々の、自コントローラ２に対する相対位置）を判定する（Ｓ２２３９）。そして、判定した設置状態を出力モード決定部３２３に渡す。
【０１０８】
出力モード決定部３２３は、設置状態判定部３２２から受け取ったグループ化されたワイヤレススピーカ１の設置状態を、グラフィカルユーザインターフェース部２１に表示して（図７参照）、自コントローラ２を携帯するユーザから、ユーザ（コントローラ２）の正面方向の指定を受け付ける（Ｓ２２４０）。
【０１０９】
つぎに、出力モード決定部３２３は、グループ化されたワイヤレススピーカの設置状態に、ユーザより受け付けた正面方向を反映させる。これにより、グループ化されたワイヤレススピーカ１のそれぞれがユーザ（コントローラ２）の前後左右のいずれに設置されているかを特定する。
【０１１０】
つぎに、出力モード決定部３２３は、グループ化されたワイヤレススピーカ１の数およびユーザの正面方向が反映された設置状態に基づいて、グループ化されたワイヤレススピーカ１のオーディオ信号出力モードおよびこれらのワイヤレススピーカ１各々の担当チャンネルを決定する（Ｓ２２４１）。そして、グループ化されたワイヤレススピーカ１のオーディオ信号出力モードおよびこれらのワイヤレススピーカ１各々の担当チャンネルを、これらのワイヤレススピーカ１各々のＩＤとともに出力モード設定指示部２７に通知する。
【０１１１】
これを受けて、出力モード設定指示部２７は、出力モード決定部３２３より通知されたオーディオ信号出力モードと、グループ化されたワイヤレススピーカ１毎にＩＤに対応付けられた担当チャネルと、を含み、グループ化された各ワイヤレススピーカ１を送信先とする出力モード設定指示を、ワイヤレススピーカインターフェース部２２から送信する（Ｓ２２４２）。その後、図１１のＳ２２４へ進む。
【０１１２】
以上、本発明の第一実施の形態について説明した。
【０１１３】
本実施の形態において、コントローラ２は、ワイヤレススピーカ１から出力されたテスト信号をリスナーが携帯する自コントローラ２のマイク部２０で集音し、ワイヤレススピーカ１からのテスト信号の出力時刻とマイク部２０へのテスト信号の入力時刻との差分である遅延時間を測定する処理を、同じ楽曲データのオーディオ信号を出力する複数のワイヤレススピーカ１各々に対して実施する。そして、各ワイヤレススピーカ１のオーディオ信号の遅延時間に基づいて、各ワイヤレススピーカ１の出力タイミング（出力調整時間）を調整する。したがって、例えば、各ワイヤレススピーカ１から出力されたオーディオ信号が同じタイミングでリスニング位置に到達するように、リスニング位置で最適なオーディオ信号となるよう各ワイヤレススピーカ１を調整することができる。
【０１１４】
また、本実施の形態において、コントローラ２は、ワイヤレススピーカ１から出力されたテスト信号を、リスナーが携帯する自コントローラ２のマイク部２０で集音し、ワイヤレススピーカ１からのテスト信号の出力レベルとマイク部２０へのテスト信号の入力レベルとの比率である入出力比を測定する処理を、同じ楽曲データのオーディオ信号を出力する複数のワイヤレススピーカ１各々に対して実施する。そして、各ワイヤレススピーカ１のオーディオ信号の入出力比に基づいて、各ワイヤレススピーカ１の出力レベルを調整する。したがって、例えば、各ワイヤレススピーカ１から出力されたオーディオ信号がリスニング位置で同じレベルとなるように、リスニング位置で最適なオーディオ信号となるよう各ワイヤレススピーカ１を調整することができる。
【０１１５】
また、本実施の形態において、コントローラ２は、各ワイヤレススピーカ１のオーディオ信号の入出力比に基づいて、ワイヤレススピーカ１を制御対象から除外すべきか否かを判断して、制御対象とすべきワイヤレススピーカ１をグループ化する。そして、グループ化されたワイヤレススピーカ１に対してオーディオ信号の出力調整を実施する。このため、例えば、コントローラ２を携帯するリスナーと同じ部屋に設置されているワイヤレススピーカ１をグループ化して、これらのワイヤレススピーカ１のみを出力調整することができる。
【０１１６】
また、本実施の形態において、ワイヤレススピーカ１は、自ワイヤレススピーカ１のＩＤを含むビーコン信号を定期的に送信する。また、コントローラ１から受け付けた電波検出指示に従い、この電波検出指示で指定されているワイヤレススピーカ１のＩＤを含むビーコン信号を受信して、その受信電波強度を検出し、検出した受信電波強度をコントローラ２に通知する。
【０１１７】
一方、コントローラ２は、ワイヤレススピーカ１から送信されたビーコン信号を受信して、その受信電波強度を検出する。また、グループ化されたワイヤレススピーカ１のなかから第一、第二のワイヤレススピーカ１を選択し、第二のワイヤレススピーカのＩＤを含む電波検出指示を第一のワイヤレススピーカ１に送信し、第一のワイヤレススピーカで検出された第二のワイヤレススピーカの受信電波強度を取得する。そして、自コントローラ２で検出された第一、第二のワイヤレススピーカ１各々のビーコン信号の受信電波強度と、第一のワイヤレススピーカ１で検出された第二のワイヤレススピーカ１の受信電波強度と、を用いて、基準座標系を決定して、自コントローラ２、および第一、第二のワイヤレススピーカ１の基準座標系上の位置を特定する。さらに、第一および第二のワイヤレススピーカ１各々に、対象のワイヤレススピーカ１のＩＤを含む電波検出指示を送信して、第一、第二のワイヤレススピーカ１でそれぞれ検出された対象のワイヤレススピーカ１の受信電波強度を取得する。そして、自コントローラ２および第一、第二のワイヤレススピーカ１でそれぞれ検出された対象のワイヤレススピーカの受信電波強度と、自コントローラ２および第一、第二のワイヤレススピーカ１の基準座標系上の位置と、を用いて、対象のワイヤレススピーカ１の基準座標系上の位置を特定する。この処理を、第一、第二のワイヤレススピーカ１以外のグループ化されたすべてのワイヤレススピーカ１に対して実施することにより、グループ化されたワイヤレススピーカ１の設置状態（自コントローラ２に対する相対位置）を判定し、この設置状態に基づいて、グループ化されたワイヤレススピーカ１のオーディオ信号出力モードを決定する。このため、グループ化されたワイヤレススピーカ１の設置状態に応じてこれらのワイヤレススピーカ１に適切なオーディオ信号出力モードを設定することができる。
【０１１８】
また、本実施の形態において、コントローラ２は、グループ化されたワイヤレススピーカ１の設置状態を表示して、自コントローラ２を携帯するリスナーから正面方向の指定を受け付ける。そして、リスナーの正面方向が反映された、グループ化されたワイヤレススピーカ１の設置状態に基づいて、オーディオ信号出力モードを決定する。これにより、グループ化されたワイヤレススピーカ１のオーディオ信号出力モードをより適切に設定することができる。
【０１１９】
［第二実施の形態］
本実施の形態に係るワイヤレスオーディオシステムは、図１に示す第一実施の形態に係るワイヤレスオーディオシステムにおいて、ワイヤレススピーカ１−ａ〜１−ｋに代えてワイヤレススピーカ１’−ａ〜１’−ｋ（以下、単にワイヤレススピーカ１’とも呼ぶ）を用いるとともに、コントローラ２に代えてコントローラ２’を用いている。ここで、ワイヤレススピーカ１’は、それぞれ異なる指向を持つ複数の指向性アンテナを有し、ビーコン信号の受信電波強度に加えて、どの指向性アンテナが最も感度よくビーコン信号を受信したかに応じてビーコン信号の受信方向を検知することができる。コントローラ２’は、ワイヤレススピーカ１’と同様、自コントローラ２’のＩＤを含むビーコン信号を定期的に送信している。
【０１２０】
図１５は、本実施の形態に係るワイヤレスオーディオシステムの動作を説明するためのフロー図である。ここでは、コントローラ２’を携帯するリスナーがＡ号室に設置されたワイヤレススピーカ１’−ａ〜１’−ｄの出力特性および出力モードを設定する場合を例にとり説明している。
【０１２１】
まず、図２および図３に示すＳ１０〜Ｓ１５（Ｓ１５ａ〜Ｓ１５ｄ）が実施され、これにより、コントローラ２’を携帯するリスナーと同じＡ号室に設置されたワイヤレススピーカ１’−ａ〜１’−ｄのグループ化、およびグループ化されたワイヤレススピーカ１’−ａ〜１’−ｄの出力特性（出力タイミング、出力レベル）が調整される（Ｓ４０）。
【０１２２】
つぎに、コントローラ２’は、グループ化されたワイヤレススピーカ１’−ａ〜１’−ｄのなかから１つ選択し、このワイヤレススピーカ１’を第一のワイヤレススピーカ１’に設定する。例えば、ビーコン信号の受信電波強度が最大のワイヤレススピーカ１’を選択し、これを第一のワイヤレススピーカ１’に設定する。ここでは、ビーコン信号の受信電波強度が最大のワイヤレススピーカ１’−ａが第一のワイヤレススピーカ１’に設定されたものとする。コントローラ２’は、第一のワイヤレススピーカ１’に設定されたワイヤレススピーカ１’−ａに対して、自コントローラ２’のＩＤの指定を含む電波検出指示を送信する（Ｓ４１）。
【０１２３】
第一のワイヤレススピーカ１’−ａは、コントローラ２’から電波検出指示を受信すると、この電波検出指示で指定されているコントローラ２’のＩＤの指定を含むビーコン信号を受信して、その受信電波強度および受信方向を検出する（Ｓ４２）。具体的には、互いに異なる指向を持つ複数の指向性アンテナ各々で受信したビーコン信号の受信電波強度のうち最大の受信電波強度をこのビーコン信号の受信電波強度とし、最大の受信電波強度を受信した指向性アンテナの指向範囲（例えば、左側、中央、右側等）をこのビーコン信号の受信方向とする。そして、第一のワイヤレススピーカ１’−ａは、検出した受信電波強度および受信方向を含む受信電波情報をコントローラ２’に送信する（Ｓ４３）。
【０１２４】
コントローラ２’は、第一のワイヤレススピーカ１’−ａから受信電波情報を受信すると、この受信電波情報に含まれている受信電波強度および受信方向（第一のワイヤレススピーカ１’−ａで検出されたコントローラ２’のビーコン信号の受信電波強度および受信方向）を用いて、グループ化されたワイヤレススピーカ１’−ａ〜１’−ｄの設置位置を特定するための基準座標系を決定する（Ｓ４４）。
【０１２５】
図１６（Ａ）は、ワイヤレススピーカ１’の設置位置を特定するための基準座標系の決定方法を説明するための図である。
【０１２６】
図示するように、コントローラ２’は、自コントローラ２’で検出された第一のワイヤレススピーカ１’−ａのビーコン信号あるいは第一のワイヤレススピーカ１’−ａで検出された自コントローラ２’の ビーコン信号の受信電波強度Ｗａを基準強度Ｓとする。つぎに、自コントローラ２’で検出された第一のワイヤレススピーカ１’−ａのビーコン信号あるいは第一のワイヤレススピーカ１’−ａで検出された自コントローラ２’のビーコン信号の受信電波強度Ｗａで基準強度Ｓを除算し、その結果Ｓ／Ｗａを、自コントローラ２’とワイヤレススピーカ１’−ａとの間の距離とする。
【０１２７】
つぎに、コントローラ２’は、自コントローラ２’を原点（０，０）に設定して、原点を中心とする半径Ｓ／Ｗａの円上の任意の点を第一のワイヤレススピーカ１’−ａの位置に設定する。そして、第一のワイヤレススピーカ１’−ａ側をプラス側として、自コントローラ２’と第一のワイヤレススピーカ１’−ａとを通る直線をＹ軸に設定することにより、基準座標系（ＸＹ直交座標系）を決定する。それから、第一のワイヤレススピーカ１’−ａの位置を基準座標系上の位置（０，Ｓ／Ｗａ）に変換する。また、第一のワイヤレススピーカ１’−ａで検出された自コントローラ２’の ビーコン信号の受信方向を、第一のワイヤレススピーカ１’−ａから自コントローラ２’に向かう方向（−Ｙ方向）とする。
【０１２８】
つぎに、コントローラ２は、以上にようにして基準座標系を決定したならば、第一のワイヤレススピーカに設定されたワイヤレススピーカ１’−ａに対して、第一のワイヤレススピーカ１’−ａ以外のグループ化されたワイヤレススピーカ１’−ｂ〜１’−ｄのＩＤの指定を含む電波検出指示を送信する（Ｓ４５）。
【０１２９】
第一のワイヤレススピーカ１’−ａは、コントローラ２’から電波検出指示を受信すると、この電波検出指示で指定されているワイヤレススピーカ１’−ｂのＩＤを含むビーコン信号、ワイヤレススピーカ１’−ｃのＩＤを含むビーコン信号、およびワイヤレススピーカ１’−ｄのＩＤを含むビーコン信号をそれぞれ受信して、それらの受信電波強度および受信方向を検出する（Ｓ４６）。そして、ワイヤレススピーカ１’−ｂ〜１’−ｄ各々のビーコン信号の受信電波強度および受信方向を含む受信電波情報をコントローラ２’に送信する（Ｓ４７）。
【０１３０】
コントローラ２’は、第一のワイヤレススピーカ１’−ａから受信電波情報を受信すると、第一のワイヤレススピーカ１’−ａから受信した受信電波情報に含まれているビーコン信号の受信電波強度および受信方向（第一のワイヤレススピーカ１’−ａで検出されたワイヤレススピーカ１’−ｂ〜１’−ｄのビーコン信号の受信電波強度および受信方向）と、自コントローラ２’で検出されたワイヤレススピーカ１’−ｂ〜１’−ｄのビーコン信号の受信電波強度と、自コントローラ２’および第一のワイヤレススピーカ１’−ａの基準座標系上の位置と、第一のワイヤレススピーカ１’−ａで検出された自コントローラ２’の ビーコン信号の受信方向と、に基づいて、グループ化されたワイヤレススピーカ１’−ｂ〜１’−ｄ各々の基準座標系上の位置を特定する。これにより、グループ化されたすべてのワイヤレススピーカ１’−ａ〜１’−ｄの設置状態を特定する（Ｓ４８）。
【０１３１】
図１６（Ｂ）、図１７（Ａ）および図１７（Ｂ）は、第一のワイヤレススピーカ１’−ａ以外の、グループ化されたワイヤレススピーカ１’の位置特定方法を説明するための図である。
【０１３２】
まず、コントローラ２’は、図１６（Ｂ）に示すように、基準座標系を決定する際に用いた基準強度Ｓを、自コントローラ２’で検出されたワイヤレススピーカ１’−ｂのビーコン信号の受信電波強度Ｗｂで除算し、その結果Ｓ／Ｗｂを、自コントローラ２’とワイヤレススピーカ１’−ｂとの間の距離とする。そして、自コントローラ２’を中心とし、半径Ｓ／Ｗｂの円Ｒｂを求める。また、第一のワイヤレススピーカ１’−ａで検出されたワイヤレススピーカ１’−ｂのビーコン信号の受信電波強度Ｗａｂで基準強度Ｓを除算し、その結果Ｓ／Ｗａｂを、第一のワイヤレススピーカ１’−ａとワイヤレススピーカ１’−ｂとの間の距離とする。そして、第一のワイヤレススピーカ１’−ａを中心とし、半径Ｓ／Ｗａｂの円Ｒａｂを求める。つぎに、第一のワイヤレススピーカ１’−ａで検出されたワイヤレススピーカ１’−ｂのビーコン信号の受信方向と、第一のワイヤレススピーカ１’−ａで検出された自コントローラ２’のビーコン信号の受信方向と、を比較し、第一のワイヤレススピーカ１’−ａからみてワイヤレススピーカ１’−ｂが自コントローラ２’に対して左右いずれの側にあるかを判断する。ここでは、左側にあると判断したものとする。それから、コントローラ２’は、円Ｒｂおよび円Ｒａｂの２つの交点のうち、第一のワイヤレススピーカ１’−ａからみて自コントローラ２’の左側にある交点を求め、この交点をワイヤレススピーカ１’−ｂの基準座標系上の位置とする。
【０１３３】
つぎに、コントローラ２’は、図１７（Ａ）に示すように、基準座標系を決定する際に用いた基準強度Ｓを、自コントローラ２’で検出されたワイヤレススピーカ１’−ｃのビーコン信号の受信電波強度Ｗｃで除算し、その結果Ｓ／Ｗｃを、自コントローラ２’とワイヤレススピーカ１’−ｃとの間の距離とする。そして、自コントローラ２’を中心とし、半径Ｓ／Ｗｃの円Ｒｃを求める。また、第一のワイヤレススピーカ１’−ａで検出されたワイヤレススピーカ１’−ｃのビーコン信号の受信電波強度Ｗａｃで基準強度Ｓを除算し、その結果Ｓ／Ｗａｃを、第一のワイヤレススピーカ１’−ａとワイヤレススピーカ１’−ｃとの間の距離とする。そして、第一のワイヤレススピーカ１’−ａを中心とし、半径Ｓ／Ｗａｃの円Ｒａｃを求める。つぎに、第一のワイヤレススピーカ１’−ａで検出されたワイヤレススピーカ１’−ｃのビーコン信号の受信方向と、第一のワイヤレススピーカ１’−ａで検出された自コントローラ２’のビーコン信号の受信方向と、を比較し、第一のワイヤレススピーカ１’−ａからみてワイヤレススピーカ１’−ｃが自コントローラ２’に対して左右いずれの側にあるかを判断する。ここでは、右側にあると判断したものとする。それから、コントローラ２’は、円Ｒｃおよび円Ｒａｃの２つの交点のうち、第一のワイヤレススピーカ１’−ａからみて自コントローラ２’の右側にある交点を求め、この交点をワイヤレススピーカ１’−ｃの基準座標系上の位置とする。
【０１３４】
つぎに、コントローラ２’は、図１７（Ｂ）に示すように、基準座標系を決定する際に用いた基準強度Ｓを、自コントローラ２’で検出されたワイヤレススピーカ１’−ｄのビーコン信号の受信電波強度Ｗｄで除算し、その結果Ｓ／Ｗｄを、自コントローラ２’とワイヤレススピーカ１’−ｄとの間の距離とする。そして、自コントローラ２’を中心とし、半径Ｓ／Ｗｄの円Ｒｄを求める。また、第一のワイヤレススピーカ１’−ａで検出されたワイヤレススピーカ１’−ｄのビーコン信号の受信電波強度Ｗａｄで基準強度Ｓを除算し、その結果Ｓ／Ｗａｄを、第一のワイヤレススピーカ１’−ａとワイヤレススピーカ１’−ｄとの間の距離とする。そして、第一のワイヤレススピーカ１’−ａを中心とし、半径Ｓ／Ｗａｄの円Ｒａｄを求める。つぎに、第一のワイヤレススピーカ１’−ａで検出されたワイヤレススピーカ１’−ｄのビーコン信号の受信方向と、第一のワイヤレススピーカ１’−ａで検出された自コントローラ２’のビーコン信号の受信方向と、を比較し、第一のワイヤレススピーカ１’−ａからみてワイヤレススピーカ１’−ｄが自コントローラ２’に対して左右いずれの側にあるかを判断する。ここでは、右側にあると判断したものとする。それから、コントローラ２’は、円Ｒｄおよび円Ｒａｄの２つの交点のうち、第一のワイヤレススピーカ１’−ａからみて自コントローラ２’の右側にある交点を求め、この交点をワイヤレススピーカ１’−ｄの基準座標系上の位置とする。
【０１３５】
それから、図４に示すＳ２６〜Ｓ３０（Ｓ３０ａ〜Ｓ３０ｄ）が実施され、これにより、コントローラ２’を携帯するリスナーと同じＡ号室に設置されたワイヤレススピーカ１’−ａ〜１’−ｄのオーディオ信号出力モードおよびこれらのワイヤレススピーカ１’−ａ〜１’−ｄ各々の担当チャンネルが設定される（Ｓ４９）。
【０１３６】
つぎに、本実施の形態に係るワイヤレスオーディオシステムのワイヤレススピーカ１’およびコントローラ２’の詳細について説明する。
【０１３７】
まず、ワイヤレススピーカ１’について説明する。
【０１３８】
図１８は、ワイヤレススピーカ１’の概略機能構成図である。この図に示すワイヤレススピーカ１’の機能構成は、例えば、ＣＰＵと、メモリと、フラッシュメモリ等の補助記憶装置と、Ｂｌｕｅｔｏｏｔｈ（登録商標）等の無線通信装置と、スピーカと、を備えたコンピュータにおいて、ＣＰＵが所定のプログラムを補助記憶装置からメモリ上にロードして実行することにより実現される。
【０１３９】
本実施の形態に係るワイヤレススピーカ１’が図８に示す第一実施の形態に係るワイヤレススピーカ１と異なる点は、ビーコン信号送受信部１２に代えてビーコン信号送受信部１２’を用いた点、および受信電波強度検出部１３に代えて受信電波強度・方向検出部１３’を用いた点である。その他の構成は、図８に示す第一実施の形態に係るワイヤレススピーカ１と同様である。
【０１４０】
ビーコン信号送受信部１２’は、それぞれ異なる指向を持つ複数の指向性アンテナを有し、これらの指向性アンテナを用いて、ＲＳＳＩ等の自ワイヤレススピーカ１’に付与されたＩＤを含むビーコン信号を送信する。また、主制御部１７の指示に従い、主制御部１７より通知されたＩＤを含むビーコン信号を受信する。
【０１４１】
受信電波強度・方向検出部１３’は、ビーコン信号送受信部１２’が有する複数の指向性アンテナのなかで、最も感度よくビーコン信号を受信した指向性アンテナを特定する。そして、特定した指向性アンテナで受信したビーコン信号の受信電波強度を検出するともに、この指向性アンテナの指向範囲（例えば、左側、中央、右側等）をビーコン信号の受信方向として検出する。
【０１４２】
本実施の形態に係るワイヤレススピーカ１’の動作は、図９に示す第一実施の形態に係るワイヤレススピーカ１の動作と基本的に同じである。ただし、Ｓ２０７〜Ｓ２０９での処理が異なる。すなわち、Ｓ２０７において、ビーコン信号送受信部１２’は、それぞれ異なる指向を持つ複数の指向性アンテナを用いて、主制御部１７から通知されたＩＤを含むビーコン信号を受信し、Ｓ２０８において、受信電波強度・方向検出部１３’は、ビーコン信号送受信部１２’が有する複数の指向性アンテナのなかで、最も感度よくビーコン信号を受信した指向性アンテナを特定し、この指向性アンテナで受信したビーコン信号の受信電波強度を検出するともに、この指向性アンテナの指向範囲をビーコン信号の受信方向として検出する。そして、Ｓ２０９において、主制御部１７は、受信電波強度・方向検出部１３’で検出された受信電波強度および受信方向と、ビーコン信号送受信部１２’に通知したＩＤと、を含む受信電波情報を生成し、コントローラインターフェース部１１を介してコントローラ２’に、この受信電波情報を送信する。
【０１４３】
つぎに、コントローラ２’について説明する。
【０１４４】
図１９は、コントローラ２’の概略機能構成図である。この図に示すコントローラ２’の機能構成は、例えば、ＣＰＵと、メモリと、フラッシュメモリ等の補助記憶装置と、タッチパネル、デイスプレイ、ポインティングデバイス等の入出力装置と、Ｂｌｕｅｔｏｏｔｈ（登録商標）等の無線通信装置と、マイクと、を備えたスマートホン、タブレットＰＣ等の携帯型コンピュータにおいて、ＣＰＵが所定のプログラムを補助記憶装置からメモリ上にロードして実行することにより実現される。
【０１４５】
本実施の形態に係るコントローラ２’が図１０に示す第一実施の形態に係るコントローラ２と異なる点は、ビーコン信号受信部２３に代えてビーコン信号送受信部２３’を用いた点、および設置状態判定部３２２に代えて設置状態判定部３２２’を用いた点である。その他の構成は、図１０に示す第一実施の形態に係るコントローラ２と同様である。
【０１４６】
ビーコン信号送受信部２３’は、ＲＳＳＩ等の自コントローラ２’に付与されたＩＤを含むビーコン信号を無線により定期的に送信する。また、定期的にワイヤレススピーカ１から送信されるビーコン信号を無線により受信する。
【０１４７】
設置状態判定部３２２’は、制御対象判断部３２０によりグループ化されたワイヤレススピーカ１’の設置状態を判定するものであり、基準座標決定部３２６’と、位置特定部３２７’と、を有する。
【０１４８】
基準座標決定部３２６’は、グループ化されたワイヤレススピーカ１’のなかから選択された第一のワイヤレススピーカ１’について受信電波強度検出部２９で検出されたビーコン信号の受信電波強度あるいは第一のワイヤレススピーカ１’における自コントローラ２’のビーコン信号の受信電波強度と、第一のワイヤレススピーカ１’における自コントローラ２’のビーコン信号の受信方向と、に基づいて、コントローラ２’および第一のワイヤレススピーカ１’の相対位置を特定する。そして、この特定した相対位置に基づいて基準座標系を決定する（図１６（Ａ）参照）。
【０１４９】
位置特定部３２７’は、グループ化されたワイヤレススピーカ１’のうち第一のワイヤレススピーカ１’以外のワイヤレススピーカ１’について受信電波強度検出部２９で検出されたビーコン信号の受信電波強度と、第一のワイヤレススピーカ１’におけるグループ内の他の各ワイヤレススピーカ１’のビーコン信号の受信電波強度および受信方向と、コントローラ２’および第一のワイヤレススピーカ１’の基準座標系における位置情報と、第一のワイヤレススピーカ１’におけるコントローラ２’のビーコン信号の受信方向と、に基づいて、第一のワイヤレススピーカ１’以外のワイヤレススピーカ１’各々の基準座標系上における位置情報を特定する（図１６（Ｂ）、図１７（Ａ）および図１７（Ｂ）参照）。
【０１５０】
本実施の形態に係るコントローラ２’の動作が、図１１に示す第一実施の形態に係るコントローラ２の動作と異なる点は、出力モード設定処理（Ｓ２２３）に代えて出力モード設定処理（Ｓ２２３’）を実施する点である。その他の処理は、図１１に示す第一実施の形態に係るコントローラ２の動作と同じである。
【０１５１】
図２０は、コントローラ２’の出力モード設定処理（Ｓ２２３’）を説明するためのフロー図である。
【０１５２】
まず、主制御部３２の設置状態判定部３２２’の基準座標決定部３２６’は、制御対象判断部３２０によりグループ化されたワイヤレススピーカ１’各々について受信電波強度検出部２９により検出されたビーコン信号の受信電波強度に基づいて、第一のワイヤレススピーカ１’を決定する（Ｓ２２６０）。例えば、最も強い受信電波強度のワイヤレススピーカ１’を第一のワイヤレススピーカ１’とする。
【０１５３】
つぎに、基準座標決定部３２６’は、検出主体のＩＤとして第一のワイヤレススピーカ１’のＩＤおよび検出対象のＩＤとして自コントローラ２’のＩＤを、電波検出指示部２８に通知する。これを受けて、電波検出指示部２８は、第一のワイヤレススピーカ１’のＩＤを検出主体のＩＤとし、自コントローラ２’のＩＤを検出対象のＩＤとする電波検出指示をワイヤレススピーカインターフェース部２２から送信する（Ｓ２２６１）。そして、電波検出指示部２８は、第一のワイヤレススピーカ１’で検出された自コントローラ２’の受信電波強度および受信方向を含む受信電波情報を第一のワイヤレススピーカ１’から受信する（Ｓ２２６２）。
【０１５４】
つぎに、基準座標決定部３２６’は、受信電波強度検出部２９で検出された第一のワイヤレススピーカのビーコン信号の受信電波強度あるいは第一のワイヤレススピーカから受信した受信電波情報に含まれている第一のワイヤレススピーカで検出された自コントローラ２’のビーコン信号の受信電波強度と、第一のワイヤレススピーカから受信した受信電波情報に含まれている第一のワイヤレススピーカで検出された自コントローラ２’のビーコン信号の受信方向と、に基づいて、図１６（Ａ）を用いて説明した要領により基準座標系を決定して、自コントローラ２’および第一のワイヤレススピーカの基準座標系上の位置を特定する（Ｓ２２６３）。
【０１５５】
つぎに、設置状態判定部３２２’の位置特定部３２７’は、グループ化されたワイヤレススピーカ１’のなかから第一のワイヤレススピーカ１’以外の未選択のワイヤレススピーカ１’を設定対象として選択する（Ｓ２２６４）。
【０１５６】
つぎに、位置特定部３２７’は、検出主体のＩＤとして第一のワイヤレススピーカ１’のＩＤおよび検出対象のＩＤとして設定対象のワイヤレススピーカ１’のＩＤを、電波検出指示部２８に通知する。これを受けて、電波検出指示部２８は、第一のワイヤレススピーカ１’のＩＤを検出主体のＩＤとし、設定対象のワイヤレススピーカ１’のＩＤを検出対象のＩＤとする電波検出指示をワイヤレススピーカインターフェース部２２から送信する（Ｓ２２６５）。そして、電波検出指示部２８は、第一のワイヤレススピーカ１’で検出された設定対象のワイヤレススピーカ１’のビーコン信号の受信電波強度および受信方向を含む受信電波情報を第一のワイヤレススピーカ１’から受信する（Ｓ２２６６）。
【０１５７】
つぎに、位置特定部３２７’は、受信電波強度検出部２９で検出された設定対象のワイヤレススピーカ１’のビーコン信号の受信電波強度と、第一のワイヤレススピーカ１’から受信した受信電波情報に含まれている受信電波強度および受信方向（第一のワイヤレススピーカ１’で検出された設定対象のワイヤレススピーカ１’のビーコン信号の受信電波強度および受信方向）と、自コントローラ２’および第一のワイヤレススピーカ１’の基準座標系上における位置と、第一のワイヤレススピーカ１’における自コントローラ２’のビーコン信号の受信方向と、に基づいて、図１６（Ｂ）、図１７（Ａ）および図１７（Ｂ）を用いて説明した要領により、設定対象のワイヤレススピーカ１’の基準座標系上の位置を特定する（Ｓ２２６７）。
【０１５８】
つぎに、位置特定部３２７’は、グループ化されたワイヤレススピーカ１’のなかに第一のワイヤレススピーカ１’以外で設定対象として未選択のワイヤレススピーカ１’があるならば（Ｓ２２６８でＮＯ）、Ｓ２２６４に戻る。一方、グループ化されたワイヤレススピーカ１’を第一のワイヤレススピーカ１’以外すべて設定対象として選択済みならば（Ｓ２２６８でＹＥＳ）、第一のワイヤレススピーカ１’を含むすべてのグループ化されたワイヤレススピーカ１’の基準座標系上の位置が特定されたことになる。設置状態判定部３２２’は、自コントローラ２’の基準座標系上の位置と、グループ化されたすべてのワイヤレススピーカ１’の基準座標系上の位置とに基づいて、グループ化されたワイヤレススピーカ１’の設置状態（グループ化されたワイヤレススピーカ１’各々の自コントローラ２’に対する相対位置）を判定する（Ｓ２２６９）。そして、判定した設置状態を出力モード決定部３２３に渡す。
【０１５９】
出力モード決定部３２３は、設置状態判定部３２２’から受け取ったグループ化されたワイヤレススピーカ１’の設置状態を、グラフィカルユーザインターフェース部２１に表示して（図７参照）、自コントローラ２’を携帯するユーザからユーザ（コントローラ２’）の正面方向の指定を受け付ける（Ｓ２２７０）。
【０１６０】
つぎに、出力モード決定部３２３は、グループ化されたワイヤレススピーカ１’の設置状態に、ユーザより受け付けた正面方向を反映させる。これにより、グループ化されたワイヤレススピーカ１’のそれぞれがユーザ（コントローラ２’）の前後左右のいずれに設置されているか特定される。
【０１６１】
つぎに、出力モード決定部３２３は、グループ化されたワイヤレススピーカ１’の数およびユーザの正面方向が反映された設置状態に基づいて、グループ化されたワイヤレススピーカ１’のオーディオ信号出力モードおよびこれらのワイヤレススピーカ１’各々の担当チャンネルを決定する（Ｓ２２７１）。そして、グループ化されたワイヤレススピーカ１’のオーディオ信号出力モードおよびこれらのワイヤレススピーカ１’各々の担当チャンネルを、これらのワイヤレススピーカ１’各々のＩＤとともに出力モード設定指示部２７に通知する。
【０１６２】
これを受けて、出力モード設定指示部２７は、出力モード決定部３２３より通知されたオーディオ信号出力モードと、グループ化されたワイヤレススピーカ１’毎にＩＤに対応付けられた担当チャネルと、を含み、グループ化された各ワイヤレススピーカ１’を送信先とする出力モード設定指示を、ワイヤレススピーカインターフェース部２２から送信する（Ｓ２２７２）。その後、図１１のＳ２２４へ進む。
【０１６３】
以上、本発明の第二実施の形態について説明した。
【０１６４】
本実施の形態は、上述した第一実施の形態の効果に加えてつぎの効果を有する。すなわち、コントローラ２’が第一のワイヤレススピーカ１’に対してのみ、電波検出指示を送信して受信電波情報を受信するため、コントローラ２が第一、第二のワイヤレススピーカ１各々に対して、電波検出指示を送信し受信電波情報を受信する第一実施の形態に比べ、通信トラヒックを低減でき、これにより、より迅速にグループ化されたワイヤレススピーカ１’の設置状態を判定することができる。
【０１６５】
また、本発明は上記の各実施の形態に限定されるものではなく、その要旨の範囲内で数々の変形が可能である。
【０１６６】
例えば、上記の各実施の形態では、コントローラ２、２’が、出力時刻および出力レベルの指定を伴うテスト指示をワイヤレススピーカ１、１’に送信し、これを受けて、ワイヤレススピーカ１、１’が、テスト信号を、テスト指示で指定されている出力時刻に再生し、テスト指示で指定されている出力レベルで出力している。しかし、本発明はこれに限定されない。コントローラ２、２’が送信するテスト指示に出力時刻および出力レベルの指定を含めなくてもよい。この場合は、ワイヤレススピーカ１、１’からコントローラ２、２’にテスト信号の出力時刻および出力レベルを通知するようにする。また、出力レベルは、コントローラ２、２’およびワイヤレススピーカ１、１’間で予め定められたレベルとすることにより、両者間でのやり取りを省略してもよい。
【０１６７】
また、上記の各実施の形態において、コントローラ２、２’からワイヤレススピーカ１、１’に送信される各種指示は、マルチキャスト送信でもよいし、あるいは、コントローラ２、２’が各ワイヤレススピーカ１、１’のアドレスを認識している場合、ユニキャスト送信でもよい。
【０１６８】
また、上記の各実施の形態において、コントローラ２、２’およびワイヤレススピーカ１、１’は、無線ＬＡＮのアドホックモード、Ｂｌｕｅｔｏｏｔｈ（登録商標）等の近距離無線通信により、ワイヤレスネットワークを介して直接接続される構成としているが、アクセスポイント経由で接続される構成でもよい。
【０１６９】
また、本実施の形態では、同じ部屋に設置されているワイヤレススピーカ１をグループ化した後、グループ化した各ワイヤレススピーカ１から受信したテスト信号の入出力比に基づいて、これらのワイヤレススピーカ１各々のオーディオ信号の出力レベルを設定する構成としたが、本発明はこれに限定されない。例えば、グループ化した各ワイヤレススピーカ１の設置位置を特定した後、ユーザから正面方向Ｐの指定２０１によってユーザの前方に設置されているワイヤレススピーカ１を特定し、このユーザの前方に設置されているワイヤレススピーカ１から受信したオーディオ信号の入出力比を基準比とする。そして、ワイヤレススピーカ１から出力されたオーヂィオ信号がリスニング位置においてユーザの前方に設置されているワイヤレススピーカ１から出力されるオーディオ信号のレベルと同じレベルとなるように、グループ化された各ワイヤレススピーカ１の出力レベルを調整する構成としてもよい。通常、ユーザは、同じ部屋に設置されている複数のワイヤレススピーカ１の内で最も主要なワイヤレススピーカ１を前方に設置するものと考えられる。このため、この主要なワイヤレススピーカ１の音量レベルを基準として他の各ワイヤレススピーカの音量レベルを調整したいと所望するユーザにとって、使い勝手が向上し、有益である。
【０１７０】
また、本実施の形態では、コントローラ２の楽曲データ記憶部３０に楽曲データを記憶する構成としたが、本発明はこれに限定されない。例えば、インターネットを介して接続されたメディアサーバに楽曲データを格納し、コントローラ２の指示に応じて各ワイヤレススピーカ１がＢｌｕｅｔｏｏｔｈ（登録商標）またはＷｉ−Ｆｉ（登録商標）などのワイヤレス通信によってメディアサーバに格納されている楽曲データを取得し、この取得したオーディオ信号を再生して出力する構成としてもよい。この場合、オーディオ信号の出力タイミングの調整は、コントローラ２から同期信号を送信し、この同期信号に基づいて行えばよい。
【符号の説明】
【０１７１】
１、１’、１−ａ〜１−ｋ、１’−ａ〜１’−ｋ：ワイヤレススピーカ、  ２、２’：コントローラ、  １０：スピーカ部、  １１：コントローラインターフェース部、  １２、１２’：ビーコン信号送受信部、  １３：受信電波強度検出部、  １３’：受信電波強度・方向検出部、  １４：テスト信号再生部、  １５：楽曲データ再生部、  １６：出力特性調整部、  １７：主制御部、  ２０：マイク部、  ２１：グラフィカルユーザインターフェース部、  ２２：ワイヤレススピーカインターフェース部、  ２３：ビーコン信号受信部、  ２３’：ビーコン信号送受信部、  ２４：測定部、  ２５：テスト指示部、  ２６：出力調整指示部、  ２７：出力モード設定指示部、  ２８：電波検出指示部、  ２９：受信電波強度検出部、  ３０：楽曲データ記憶部、  ３１：再生指示部、  ３２：主制御部、  ２４０：遅延時間測定部、  ２４１：入出力比測定部、  ３２０：制御対象判断部、  ３２１：決定部、  ３２２、３２２’：設置状態判定部、  ３２３：出力モード決定部、  ３２４：出力タイミング決定部、  ３２５：出力レベル決定部、  ３２６、３２６’：基準座標特定部、  ３２７、３２７’：位置特定部
【図１】
0006604865.tif 000002
【図２】
0006604865.tif 000003
【図３】
0006604865.tif 000004
【図４】
0006604865.tif 000005
【図５】
0006604865.tif 000006
【図６】
0006604865.tif 000007
【図７】
0006604865.tif 000008
【図８】
0006604865.tif 000009
【図９】
0006604865.tif 000010
【図１０】
0006604865.tif 000011
【図１１】
0006604865.tif 000012
【図１２】
0006604865.tif 000013
【図１３】
0006604865.tif 000014
【図１４】
0006604865.tif 000015
【図１５】
0006604865.tif 000016
【図１６】
0006604865.tif 000017
【図１７】
0006604865.tif 000018
【図１８】
0006604865.tif 000019
【図１９】
0006604865.tif 000020
【図２０】
0006604865.tif 000021